(57)【要約】【課題】【解決手段】  アンカーを用いず、剛毛を剛毛キャリア（１０）に固定するための方法又は装置によると、加熱器（３９）が剛毛を移動させるために構成された工具部分に設けられる。剛毛を剛毛キャリア（１０）における固定開口（１２）内へ差し込んだ後、固定開口は印可圧力によって閉じられる。【選択図】図２
2019514530.tif 000002
【特許請求の範囲】
【請求項１】
ブラシを製造する方法であって、前記ブラシは、前側および裏側ならびに少なくとも１つの固定開口を有する、熱可塑性樹脂からなる剛毛キャリアを備え、前記少なくとも１つの固定開口内に、熱可塑性樹脂からなる少なくとも１つの剛毛が挿入され、かつ、アンカーを使用せずに前記開口内に固定され、それゆえ、前記少なくとも１つの剛毛が前記剛毛キャリアの前記前側から突出し、前記固定開口は、前記剛毛キャリアの前記前側の前記固定開口を囲む前面縁部を含み、前記方法は、以下のステップ、すなわち、
ａ）剛毛キャリアが提供されこと工程あって、前記剛毛キャリアは、材料の収容を作るために、前記前面縁部の部分に、断面方向にのみ前記前面から離れて伸びる、少なくとも１つの突出部を有し、前記少なくとも１つの突出部は、前記剛毛キャリアの射出成形の間に形成され、前記前面縁部の周囲の一部のみにわたって伸びる工程と、
ｂ）前記少なくとも１つの剛毛が工具部分の受け入れ開口内に収容される工程と、
ｃ）前記少なくとも１つの剛毛が前記剛毛キャリア内の固定開口内に挿入される工程であって、前記少なくとも１つの剛毛は、依然として前記受け入れ開口内に配置されている間に、その締結端部によって、前記剛毛キャリアの造形中に形成される工程と、
ｄ）前記工具部分の前記剛毛キャリアに対する距離が低減され、したがって前記工具部分が前記剛毛キャリアに接触する工程と、
ｅ）前記少なくとも１つの剛毛が前記固定開口に埋め込まれ、前記固定開口において固定され、その中で固定され、それゆえ、前記少なくとも１つの突出部の前記縁部の領域における前記剛毛キャリアの材料が、再形成の間、前記固定開口内で水平方向に動き、前記少なくとも１つの剛毛をプレスするように、前記工具部分が前記剛毛キャリアに圧力を付加し、前記固定開口の断面を縮小させることにより、前記少なくとも１つの突出部を含み、前記固定開口を囲む前記前面縁部の領域に少なくとも、前記剛毛キャリアを再形成する工程と、
ｆ）前記剛毛キャリアへの前記工具部分の距離が拡大され、したがって前記少なくとも１つの剛毛が前記受け入れ開口から引き出されることを特徴とする、方法。
【請求項２】
前記工程ｅ）において、前記少なくとも１つの剛毛の前記前側に対する角度配置が、前記縁部の前記領域における前記固定開口内へ水平方向に動いている材料によって変化させられる、特に前記前側に対して垂直にプレスされることを特徴とする請求項１に記載の方法。
【請求項３】
前記工程ｅ）において、前記少なくとも１つの剛毛が、前記固定開口内へ水平方向に動く、前記縁部の領域における前記材料のため、前記前側に対して傾斜した配置で保持されるので、前記前側の方向へ見ると、前記少なくとも１つの剛毛が、傾斜した前記１つ以上の突出部から離れて、前記剛毛キャリアから突出する自由端に向けて広がる、を特徴とする請求項２に記載の方法。
【請求項４】
前記工程ｂ）において、前記少なくとも１つの剛毛が、望ましくは平らな前記前側に対して傾斜して前記固定開口に差し込まれ、特に、そのような傾斜配向にある前記各固定開口に差し込まれ、
前記少なくとも１つの剛毛が前記工程ｅ）の後、永続的に保持されることを特徴とする請求項２又は３に記載の方法。
【請求項５】
前記工程ｂ）において、前記少なくとも１つの剛毛は、前記望ましくは平坦な前面に垂直に、前記固定開口に差し込まれ、
前記工程ｅ）において、前記少なくとも１つの剛毛は、前記固定開口へ水平に動く前記材料によって、前記前側に対して傾斜して又は垂直にプレスされることを特徴とする請求項１〜４のいずれか１つに記載の方法。
【請求項６】
前記剛毛キャリア内の前記固定開口は、壁の内側を形成する囲み縁部によって構成され、
前記少なくとも１つの突出部は、前記工具部分による前記剛毛キャリアの衝突前、前記前側に垂直又は基本的には垂直に広がる前記剛毛キャリアの内側に広がる前記縁部の一部に配置されることを特徴とする、請求項１〜５のいずれか１つに記載の方法。
【請求項７】
前記前側に垂直又は略垂直に広がる前記縁部の前記部分とは反対側に配置された、前記剛毛キャリア内側に広がる前記縁部の前記部分は、前記工具部分による前記剛毛キャリアの衝突前、前記前側に関して傾斜して広がることを特徴とする請求項６に記載の方法。
【請求項８】
前記剛毛キャリアの内側の前記固定開口を構成する前記囲み縁部全体は、前記工具部分による前記剛毛キャリアの衝突前、前記突出部の前記領域の外側の前記前側に垂直又は略垂直に広がることを特徴とする請求項１〜６のいずれか１つに記載の方法。
【請求項９】
前記少なくとも１つの突出部は、前記前側に垂直に見ると、前記前面縁部に沿って広がる細長い突出部であることを特徴とする請求項１〜８のいずれか１つに記載の方法。
【請求項１０】
前記固定開口は、前記前側に垂直方向に見ると、細長い形状を有しており、
前記１つの突出部又は前記複数の突出部はあわせて、前記細長い固定開口の前記前面縁部の縦方向の片側又は両側にのみ配置されることを特徴とする請求項１〜９のいずれか１つに記載の方法。
【請求項１１】
前記固定開口は、前記前側に垂直方向に見ると、細長いアーク形状を有し、
前記１つ以上の突出部は、前記前面縁部の内側アーク形状部分に配置される請求項１〜１０のいずれか１つに記載の方法。
【請求項１２】
複数の固定開口が提供され、
前記複数の固定開口全てが、材料を収容するための前記少なくとも１つの突出部を含むわけではないことを特徴とする請求項１〜１１のいずれか１つに記載の方法。
【請求項１３】
前記前面縁部は、前記縁部の一部又はいくつかの部分の領域において１つの突出部を少なくとも含んでもよく、
外側に向けて前記前側が終端する、前記剛毛キャリアから隣接固定開口までの距離、又は周囲側までの距離が、最大０．５ｍｍであることを特徴とする請求項１〜１２のいずれか１つに記載の方法。
【請求項１４】
前記剛毛キャリアの前記前面は、剛毛材料及び／又は剛毛キャリア材料の融解温度以下の温度まで、特に前記剛毛材料及び／又は前記剛毛キャリア材料の各溶解温度の℃単位において最大８５％の温度まで加熱されることと、
前記工具部分が前記加熱剛毛キャリアに圧力を付加し、特徴ｅ）に係る前記剛毛を再形成することとを、特徴とする請求項１〜１３のいずれか１つに記載の方法。
【請求項１５】
前記剛毛キャリアの前記裏側が能動的に冷却され、一方、前記剛毛キャリアに圧力が加えられることを特徴とする、請求項１４に記載の方法。
【請求項１６】
特に前記圧力の印加中に前記裏側の温度が最大２５℃になるように、前記剛毛キャリアの前記裏側が冷却されることを特徴とする、請求項１５に記載の方法。
【請求項１７】
ホルダが、前記圧力の印加中に前記剛毛キャリアの前記裏側に接触し、前記剛毛キャリアに対向力を加え、前記剛毛キャリアを冷却し、前記ホルダは液体冷却されることを特徴とする、請求項１５または１６に記載の方法。
【請求項１８】
前記剛毛キャリアは、前記少なくとも１つの剛毛に差し込まれた後最初に、加熱可能な前記工具部分によって加熱されることを特徴とする請求項１〜１７のいずれか１つに記載の方法。
【請求項１９】
前記工具部分は、統合電気抵抗加熱器によって加熱される、又は、前記剛毛キャリアと接触する接触表面の外側の前記工具部分に一時的に接触してその部分を加熱する加熱部分によって加熱されることを特徴とする請求項１〜１８のいずれか１つに記載の方法。
【請求項２０】
前記圧力の印加は装置内で実行され、前記装置内で、前記剛毛キャリアに圧力が加えられている間に、前記剛毛キャリアが工具部分によって前記剛毛キャリアの前記前側で接触され、前記裏側でホルダによって接触され、前記装置は、前記圧力の印加中に停止するように移動され、したがって、前記ホルダの前面と前記工具部分は、表面全体において互いに接触することを特徴とする、請求項１〜１９のいずれか１つに記載の方法。
【請求項２１】
前記圧力の印加時間の後に、前記工具部分と前記ホルダとが、前記前側と前記工具部分との間に通気間隙が形成されるように互いに取り除かれ、前記剛毛キャリアのユニットと前記少なくとも１つの剛毛のユニットが、所定の休止期間の間、前記装置内にとどまることを特徴とする、請求項２０に記載の方法。
【請求項２２】
前記少なくとも１つの剛毛は、前記休止期間全体の間に前記受け入れ開口内に留まることを特徴とする、請求項２１に記載の方法。
【請求項２３】
前記剛毛キャリアは、前記休止期間の間に前記ホルダ内に留まることを特徴とする、請求項２２に記載の方法。
【請求項２４】
前記装置の閉位置に達することによって完了する、工具部分と剛毛キャリアとの互いに対する給送運動の後に、所定の滞留時間の間に前記閉位置において前記剛毛キャリアに前記圧力が加えられ、特に、前記滞留時間が、少なくとも１秒、好ましくは少なくとも１．５秒、および／または最大３秒、特に最大２．５秒であることを特徴とする、請求項１〜２３のいずれか１つに記載の方法。
【請求項２５】
前記剛毛キャリアは、前記滞留時間の間、特に前記給送運動中に加えて、前記剛毛キャリアの前記前側で加熱されることを特徴とする、請求項２４に記載の方法。
【請求項２６】
少なくとも４秒間、特に少なくとも５秒間の印加時間の間、前記前側と前記裏側との間で前記剛毛キャリアに圧力が加えられ、前記印加時間が前記滞留時間に前記給送運動中の期間を加えた時間に等しく、前記時間は好ましくは少なくとも３秒であり、前記時間において、前記前側は前記工具部分によって接触され、前記裏側は同時に前記ホルダによって接触されることを特徴とする、請求項２４又は２５に記載の方法。
【請求項２７】
前記少なくとも１つの剛毛の自由端が、前記装置の前記前面で支持されることを特徴とする、請求項１〜２６のいずれか１つに記載の方法。
【請求項２８】
前記支持は、少なくとも前記剛毛キャリアに前記圧力を印加している間、好ましくは、前記圧力を印加する前またはそれぞれ前記工具部分および前記ホルダが前記剛毛キャリアの前記前側および前記裏側に接触した後の前記装置の前記給送運動の間に取り除かれ、前記圧力の印加中の少なくとも最後の段階は、前記支持なしで行われることを特徴とする、請求項２７に記載の方法。
【請求項２９】
前記少なくとも１つの剛毛の断面と、関連する前記受け入れ開口の断面とが、少なくとも１つの前記剛毛が前記受け入れ開口内に締結され、前記締結によって軸方向に位置決めされるように構成されるように、互いに位置整合されることを特徴とする、請求項１〜２８のいずれか１つに記載の方法。
【請求項３０】
前記少なくとも１つの剛毛又は前記全剛毛束は、前記剛毛材料の熱再形成によって生成される肥厚固定端部を有し、
剛毛束を使用するとき、前記剛毛束の前記剛毛は、熱再形成によって互いに融着され、
前記再形成は、少なくとも前記工程ｃ）からｆ）が実施される固定ステーションの外側で実施されることを特徴とする請求項１〜２９のいずれか１つに記載の方法。
【請求項３１】
前記熱再形成された剛毛又は剛毛束は、冷却状態において前記固定ステーションへ差し込まれることを特徴とする請求項３０に記載の方法。
【請求項３２】
前記少なくとも１つの固定開口が、エラストマー材料、特に熱可塑性エラストマー（ＴＰＥ）から予め造形された少なくとも１つの単一の剛毛で充填され、前記剛毛が、前記剛毛キャリアを再成形することによって前記固定開口内に固定されており、特に、前記単一の予め造形された剛毛は、断面において測定されるとき、０．６ｍｍよりも大きく、さらに特に０．９ｍｍよりも大きい最大壁厚を有することを特徴とする、請求項１〜３１のいずれか１つに記載の方法。
【請求項３３】
前記単一の予め造形された剛毛は、肥厚した締結端部を含み、前記肥厚した締結端部によって、前記剛毛は前記固定開口内に挿入され、前記肥厚した締結端部は、前記剛毛キャリアの前記固定開口の再成形された縁部によって取り囲まれ、特に、前記肥厚した締結端部は、平坦な円筒形の形状を有し、かつ／または、単一の予め造形された剛毛は、多要素射出成形部品であり、好ましくは、前記肥厚した締結端部は、別の、好ましくは、少なくとも前記固定開口の外側の前記単一の予め造形された剛毛の外面よりも、好ましくは前記単一の予め造形された剛毛の残りの部分全体よりも硬質の材料、例えばポリプロピレンから作成されている多要素射出成形部品であることを特徴とする、請求項３２に記載の方法。
【請求項３４】
複数の固定開口が前記剛毛キャリア内に設けられ、少なくとも１つの固定開口が前記単一の予め造形された剛毛のみによって提供され、少なくとも１つのさらなる固定開口が、予め造形された剛毛束を与えられ、したがって、前記ブラシは、一方では前記剛毛束の前記剛毛よりも厚い少なくとも単一の剛毛を含み、他方では、少なくとも１つの剛毛束を含み、特に、前記単一の剛毛は、側面から見たときに、少なくとも前記剛毛の前記自由端へと前記剛毛の前記自由端が突出していることを特徴とする、請求項３２または３３に記載の方法。
【請求項３５】
再成形後に、前記剛毛キャリア内の前記固定開口を画定する壁が、前記固定開口内に配置された少なくとも１つの前記剛毛または少なくとも１つの前記剛毛束全体の前記締結端部上の区画のみにおいて当接することを特徴とする、請求項１〜３４のいずれか１つに記載の方法。
【請求項３６】
少なくとも前記壁と前記少なくとも１つの剛毛との間の区画、特に前記固定開口の底部の領域において、または前記底部に隣接して、通気間隙が設けられていることを特徴とする、請求項３５に記載の方法。
【請求項３７】
前記少なくとも１つの剛毛または前記少なくとも１つの剛毛束前記が、肥厚した締結端部を含み、前記固定開口の前記縁部が再成形され、前記固定開口が、前記固定開口が前記底部に向かって拡大され、かつ前記再成形された縁部が、引き出される方向において背後から前記肥厚した締結端部に係合するように、前記口の領域内で収縮されることを特徴とする、請求項１〜３６のいずれか１つに記載の方法。
【請求項３８】
前記肥厚した締結端部は、軸方向へ、前記剛毛キャリアの前記前側に隣接する前記端部から開始して、軸方向長さ全体の最大５０％のみまで、前記固定開口内で締結されることを特徴とする、請求項３７に記載の方法。
【請求項３９】
剛毛束が前記固定開口に締結され、前記固定開口の前記縁部が、前記剛毛束の前記縁部が互いに隣接して配置され、したがって前記剛毛束が、前記剛毛束を前記固定開口に挿入した後、および再成形の前よりも小さな断面を有するように、ある領域内で圧縮されるように再成形されることを特徴とする、請求項１〜３８のいずれか１つに記載の方法。
【請求項４０】
前記圧力の印加は装置内で行われ、前記剛毛キャリアに前記圧力が加えられている間、前記剛毛キャリアが工具部分によって前記剛毛キャリアの前記前側で接触され、前記裏側でホルダによって接触され、前記剛毛キャリアの前記裏側は射出成形エラストマーによって画定され、前記ホルダが、オーバーモールドを設けられた前記剛毛キャリアを受け入れるための凹部を含み、前記凹部は特に、前記オーバーモールドを含む前記剛毛キャリアの形状に対して相補的に形成されることを特徴とする、請求項１〜３９のいずれか１つに記載の方法。
【請求項４１】
以下のステップ、すなわち、前記剛毛キャリアの反対側の前記工具部分の前記前面が前記剛毛材料および／または前記剛毛キャリア材料の融点温度未満の温度に、特に、前記剛毛および／または前記剛毛キャリア材料のそれぞれの融点温度の℃単位における最大８５％まで加熱されるように、前記工具部分が加熱されることと、前記工具部分が前記剛毛キャリアと接触し、前記剛毛キャリアを加熱するように、前記工具部分が前記剛毛キャリアに対して移動されることとを特徴とする、請求項１〜４０のいずれか１つに記載の方法。
【請求項４２】
以下のステップ、すなわち、前記剛毛キャリアの反対側の前記工具部分の前面が、周囲温度と２１０℃、好ましくは１５０℃との間の範囲の所定の温度まで加熱され、前記工具部分が前記剛毛キャリアと接触して前記剛毛キャリアを加熱するが、ただし前記剛毛キャリアおよび前記少なくとも１つの剛毛を融解することはないように、前記工具部分が前記剛毛キャリアに対して移動されることを特徴とする、請求項１〜４０のいずれか１つに記載の方法。
【請求項４３】
前記工具部分が、前記工具部分の前記剛毛キャリアへの給送運動の間におよび／または前記剛毛キャリアと接触している間に前記工具部分による接触面の領域において前記剛毛キャリアを、前記剛毛キャリア材料の融点温度より低く、好ましくは前記剛毛キャリアの材料のガラス転移温度以上、特に、３００°Ｋ以上のガラス転移温度を有する剛毛キャリア材料について、°Ｋ単位においてガラス転移温度よりも最大１５％高く、ガラス転移温度が３００°Ｋ未満である剛毛キャリア材料について、°Ｋ単位でガラス転移温度よりも最大５０％高い温度まで、前記剛毛キャリアを加熱することを特徴とする、請求項１〜４２のいずれか１つに記載の方法。
【請求項４４】
少なくとも前記固定開口の前記縁部が周囲温度より少なくとも３０℃高い温度まで加熱される前に、特に、前記固定開口の内側における前記固定開口の前記縁部が、前記工具部分によって周囲温度よりも高い温度に加熱される前に、少なくとも１つの剛毛が最初に前記受け入れ開口内に挿入されることを特徴とする、請求項１〜４３のいずれか１つに記載の方法。
【請求項４５】
前記剛毛キャリアは、固定の間、前記工具部分によって加熱されない裏側を含むことを特徴とする請求項１〜４４のいずれか１つに記載の方法。
【請求項４６】
前記工具部分は、少なくとも、前記剛毛キャリアに圧力が付加されている間、前記工具部分の前記前面の前記剛毛キャリアを加熱することを特徴とする請求項１〜４５のいずれか１つに記載の方法。
【請求項４７】
前記固定開口へ突出する前記突出部のうちの１つを備えることなく前記工具部分が形成されることを特徴とする請求項１〜４６のいずれか１つに記載の方法。
【請求項４８】
前記工具部分は、前記少なくとも１つの剛毛または前記少なくとも１つの剛毛束を装填されるマガジンであり、前記少なくとも１つの剛毛または前記少なくとも１つの剛毛束が装填された後、前記剛毛の締結端部が前記マガジンから突出し、前記締結端部が加熱され、したがって、肥厚部が形成されることを特徴とする、請求項１〜４７のいずれか１つに記載の方法。
【請求項４９】
前記締結端部が前記固定開口内に挿入される前に、特に能動空気流またはコールドチャンバによって、前記肥厚部が後続して能動的に冷却されることを特徴とする、請求項４８に記載の方法。
【請求項５０】
少なくとも１つの剛毛または少なくとも１つの剛毛束を備えるブラシを製造するための装置であって、
前記ブラシは、特に請求項１〜４９のいずれか１つに記載の方法を実施するための、前記少なくとも１つの剛毛または前記少なくとも１つの剛毛束のための少なくとも１つの固定開口を有する剛毛キャリアを含み、
前記装置は、前記剛毛キャリアのためのホルダと、前記少なくとも１つの剛毛または前記少なくとも１つの剛毛束のための少なくとも１つの受け入れ開口を有する工具部分とを備え、
前記受け入れ開口は、前記剛毛キャリアに面する前記工具部分の前面で終端し、
前記少なくとも１つの剛毛又は前記少なくとも１つの剛毛束のための前記工具部分は、前記少なくとも１つの剛毛又は前記少なくとも１つの剛毛束のための受け入れ開口を含み、
前記受け入れ開口は前記工具部分の前記前面に対して斜めに広がり、
前記工具部分は加熱器を含み、
前記加熱器は、少なくとも前記前面の部分を加熱するように構成されかつ制御され、
前記加熱器は、前記前面が最大１４０℃、特に最大１３０℃の温度に加熱されるように適合され制御される、前記前面の少なくとも部分を加熱する加熱機構を含む、装置。
【請求項５１】
前記工具部分は、前記ホルダに対して、前記ホルダに向かって、および、前記ホルダから外方に、相対的に可動であり、特に、前記給送運動が、圧力および時間によって制御され、かつ／または、圧力および経路によって制御されることを特徴とする、請求項５０に記載の装置。
【請求項５２】
前記装置は、前記工具部分が前記剛毛キャリアに対して少なくとも２００バール、特に少なくとも４００バールの圧力を提供することができるように構成されていることを特徴とする、請求項５０または５１に記載の装置。
【請求項５３】
前記工具部分は、前記剛毛キャリアとの接触領域全体にわたって加熱可能であるように構成されていることを特徴とする、請求項５０〜５２のいずれか１つに記載の装置。
【請求項５４】
前記工具部分は、前記装置のローディングステーションにおいて前記少なくとも１つの剛毛または前記少なくとも１つの剛毛束を装填されるマガジンであり、前記少なくとも１つの剛毛または前記少なくとも１つの剛毛束は、装填後に前記締結端部が前記マガジンから突出し、融解ステーションが前記ローディングステーションの下流に設けられており、前記融解ステーションにおいて、前記締結端部が加熱され、したがって肥厚部が形成され、剛毛束を使用するとき、前記剛毛束の前記剛毛は、熱再成形によって互いに融着されることを特徴とする、請求項５０〜５３のいずれか１つに記載の装置。
【請求項５５】
前記剛毛キャリアに対する前記工具部分の前記給送運動および前記工具部分の加熱動作を、前記工具部分が前記剛毛キャリアに接触する前に、特に前記工具部分の所定の最大動作温度にまで加熱されるように制御し、かつ／または、前記剛毛キャリアが、前記剛毛キャリアにおける前記受け入れ開口において、前記少なくとも１つの剛毛が挿入されたた後、前記工具部分によって加熱されるだけであるように制御を実行するコントローラが設けられていることを特徴とする、請求項５０〜５４のいずれか１つに記載の装置。
【請求項５６】
前記工具部分とは反対にホルダを含み、
前記工具部分と前記ホルダとは、別な方向に向けてかつ互いに離れて動かされるように適応され、前記ホルダは、能動冷却手段が設けられていることを特徴とする請求項５０〜５５のいずれか１つに記載の装置。
【請求項５７】
圧力を付加するために、少なくとも１つの電気モータ、特にサーボモータを有することを特徴とする請求項５０〜５６のいずれか１つに記載の装置。
【請求項５８】
前記剛毛キャリアを製造する射出成形ステーションによって特徴付けられる装置であって、
前記射出成形ステーションにおいて、射出キャビティへ突出する少なくとも１つの突出部を有する射出成形半部が設けられ、
前記突出部は、前記射出成形半部にしっかりと設置され、又は前記射出成形半部の一部であり、
前記突出部は、ブラインドホールとして適合された前記固定開口を生成し、
特に、前記射出成形半部は、スライダなしで構成され、
及び／若しくは、
特に、前記射出成形ステーションは複合部品射出成形ステーションであることを特徴とする請求項５０〜５７のいずれか１つに記載の装置。
【請求項５９】
複数のステーションを有し、
前記射出成形ステーションは、前記ホルダと前記工具部分とを含む、前記ステーションの上流に配置されることを特徴とする請求項５８に記載の装置。
【発明の詳細な説明】
【技術分野】
【０００１】
本発明は、少なくとも１つの剛毛がその中に挿入され固定されている、少なくとも１つの固定開口を有する熱可塑性樹脂製の剛毛キャリアを備えるブラシの製造方法および装置に関する。
【背景技術】
【０００２】
ブラシ、特に歯ブラシ、さらにはまた家庭で使用するためのブラシを製造するためには、当該技術分野においては、アンカー（小さな金属板またはワイヤループ）を用いて剛毛束を固定する方法、または、アンカーを使用しない方法の２つの方法が普及している。アンカーを使用するのとは対照的に、アンカーを使用しない方法では、剛毛束は、折り畳まれて折り畳み位置で剛毛キャリア内に固定されるのではなく、剛毛キャリアにおいて、その端部で接着または熱処理によって固定される。当該技術分野において普及している一般的な方法によれば、剛毛キャリアは、剛毛束が挿入される開口を有する。次いで、剛毛束は、その裏側が開口から突出し、剛毛キャリアの裏側で加熱される。したがって、剛毛の熱可塑性材料が融解していき、それによって、剛毛同士が実質的に融着し、この結果として肥厚部が形成され、単一の剛毛を前側に引き離すことができなくなる。一般に、上記複数の剛毛束は、熱風またはホットパンチ（加熱穿孔機）を用いて裏側で液化され、それによって、それぞれの剛毛束の材料が互いに融合し、液化剛毛端部からなる一種の層をその裏面に形成する。この裏側はその後被覆され、特にオーバーモールドされる。
【０００３】
この解決策の欠点は、裏側を被覆する必要があることに起因して、方法および装置に関して相当の追加の労力が必要とされることである。しかし、特に歯ブラシの場合、隣接する層の間の移行面は、衛生上の問題を排除するために可能な限り間隙なく形成されなければならないことに留意されたい。
【０００４】
用語「剛毛キャリア」は、剛毛または剛毛束を担持する最終的なブラシの部分を示すものである。したがって、剛毛キャリアは、ブラシ本体全体を形成することができ、歯ブラシについて、これは、ハンドル、ネックおよびヘッド、または、また後のブラシ本体の予め造形された部分のみからなる一体射出成形部品である。後者の場合、剛毛キャリアは、一般に、１つまたは複数の剛毛または剛毛束を詰めるための１つまたは複数の開口が設けられている熱可塑性樹脂製の薄板である。剛毛を詰めて締結した後、プレート状の剛毛キャリアは、次いで、例えば、プレート状の剛毛キャリアのためのそれぞれの凹部を含む、予め造形された剛毛体に挿入される。これに代えて、またこれが通常の事例であるが、プレート状の剛毛キャリアはオーバーモールドされ、したがって、予め作製された剛毛キャリアおよび射出成形された残りの部分からなる剛毛体が得られる。
【０００５】
中国特許出願公開第６７２  ５７９号明細書は、小さいアンカープレートを用いて剛毛キャリア内に剛毛束を固定する方法を提案している。これは、剛毛束が折り畳まれ、固定開口の壁内でそれ自体を押す小さなアンカープレートが折り畳み領域に配置され、したがって剛毛束が最終的に剛毛キャリア上に固定されることを意味する。しかしながら、細菌または胞子が存続することができず、増殖する可能性がないように、剛毛キャリアの前面または前側の開口をより洗練された方法で閉じるために、固定開口を包囲し、前面から突出する、剛毛キャリアの周囲のビードが内側に押し込まれるべきである。しかし、剛毛束自体は、このビードの再成形によって固定されるのではなく、アンカー自体によって固定される。単一の剛毛束は、続いて、詰め工具を使用することによって剛毛キャリアへと打ち抜かれ、詰め工具は、折り畳まれた剛毛束をパイプを通して押す。パイプ自体は、このとき、その前面に加熱装置を有することができ、加熱装置は、ビードに当接するのみであり、ビードを融解または可塑化させ、続いてビードを半径方向内側に押す。
【０００６】
剛毛または剛毛束を上述の剛毛キャリアにアンカーなしで締結する可能性に加えて、第２の方法は、まだ実現されていないが、要するに開口を含み予熱される剛毛キャリアに剛毛束を打ち込む方法が論理的に発案されている。剛毛束を軟質の剛毛キャリアに打ち込んだ後、剛毛キャリアは、剛毛キャリアの前側のプレスによって圧力にさらされ、その前側から剛毛束が突出し、それによって、開口の縁部の周りの軟質材料が圧縮され、開口の断面が縮小される。これを参照して、いくつかの概念を以下に示す。
【０００７】
独国特許出願公開第１９８５３０３０号明細書では、剛毛束は剛毛を含み、剛毛はその裏側でともに融着されて肥厚部を形成する。剛毛キャリアは開口を含み、開口内で、開口の縁部に接触することなく、剛毛束を打ち込む前に、加熱機構の円筒形突出部が導入される。この輻射熱によって、開口の内縁部が局所的に加熱される。剛毛キャリアは、縁部の領域において、構造が変化する温度、例えば軟化温度まで加熱される。この温度上昇によって、穴はその断面が縮小されることになり、したがって、剛毛束は打ち込まれている間に壁の中に貫入することを余儀なくされる。加熱装置が除去された後、剛毛束は、次いで、その肥厚端部を使用することによって開口内に打ち込まれ、その肥厚部の断面は開口の断面よりも大きく、それによって、肥厚部は縁部の軟質部分内に貫入し、これが、開口を画定してこれを包囲し、それはそれぞれの壁にある。次に、剛毛キャリアの前面がパンチを使用して再成形され、したがって、剛毛キャリアの材料が剛毛束に押し付けられ、剛毛束を固定する。
【０００８】
米国特許第５  ２２４  ７６３号明細書から同様の方法が知られており、ここでは、剛毛キャリアは開口のビード状突出縁部を含む。ここでもまた、開口の縁部は、開口内に突出するピン形状の加熱要素によって、または熱風を用いて加熱される。開口自体の断面は、剛毛束の肥厚端部よりも小さく、したがって軟質開口の壁に打ち込まれた後に固定される。次いで、剛毛束の支持体は、加熱された周方向のビードを圧縮し、それによって、追加の材料が、剛毛キャリアの前面への移行時に開口を閉じるのに利用可能となる。
【０００９】
欧州特許出願公開第０  ３５５  ４１２号明細書から、剛毛束の肥厚端部および／または剛毛キャリア内の開口の縁部が加熱される方法が知られており、寸法および温度は、肥厚端部を打ち込んだ後に、開口の縁部が内側に向かって押圧され、したがって、スナップ嵌めと同様にして肥厚端部を包囲し、肥厚端部を形状適合して受け入れるように、選択される。
【００１０】
欧州特許第０  ４７２  ５５７号明細書は、ピンを含むホットパンチを使用することによって樹脂製のプレート状剛毛キャリアに貫入することを提案しており、したがって、ピンは剛毛束を受け入れるための開口を形成する。その後、剛毛束は、依然として高温の穿孔された開口内に押し込まれ、剛毛束の肥厚部の周囲で融解が起こる。さらに、また融解部を成形するために、ダイプレートを剛毛キャリアの上側に押し付けることができる。ここでは、まだ再成形されていない剛毛キャリアの上側に、材料を形成する突出部またはビードが突出しており、これが材料として利用可能であり、開口に向かって押し付けられることが特に好ましい。
【００１１】
独国特許出願公開第３４  ２２  ６２３号明細書に記載の方法では、プレート状であり、開口なしに構成される剛毛キャリアが、剛毛キャリアと同じプラスチック材料からなる剛毛束と融着される。加熱工具が、剛毛キャリアの側面と剛毛束の側面との間で移動され、これらはまだ融着されておらず、したがって、両方が融着される。次いで、剛毛束は、剛毛キャリアの融解した材料内に押し込まれる。
【発明の課題】
【００１２】
本発明の目的は、ブラシを製造するための複雑度の大幅に低減した方法を提供することであり、これは、特に、装置に関する労力を少なくすると同時に、剛毛または剛毛束を固定開口に確実に固定することを可能にする。
【００１３】
上記目的はブラシを製造する方法によって達成され、ブラシは、前側および裏側ならびに少なくとも１つの固定開口を有する、熱可塑性樹脂からなる剛毛キャリアを備え、少なくとも１つの固定開口内に、熱可塑性樹脂からなる少なくとも１つの剛毛が挿入され、アンカーを使用せずに開口内に固定され、したがって、少なくとも１つの剛毛が剛毛キャリアの前側から突出し、固定開口は、剛毛キャリアの前側の固定開口を取り囲む前面縁部を含み、方法は、以下のステップ、すなわち、
ａ）剛毛キャリアが提供されこと工程あって、剛毛キャリアは、材料の収容を作るために、前面縁部の部分にのみ前面から離れる方向に伸びる少なくとも１つの突出部を有し、少なくとも１つの突出部は、剛毛キャリアの射出成形の間に形成され、前面縁部の周囲の一部のみにわたって伸びる工程と、
ｂ）少なくとも１つの剛毛が工具部分の受け入れ開口内に収容される工程と、
ｃ）少なくとも１つの剛毛が、依然として受け入れ開口内に配置されている間に、その締結端部によって、剛毛キャリアの造形中に形成される剛毛キャリア内の固定開口内に押し込まれる工程と、
ｄ）工具部分が剛毛キャリアに接触するように、工具部分の、剛毛キャリアに対する距離が低減される工程と、
ｅ）工具部分が剛毛キャリアに圧力を付加し、固定開口の断面を縮小させることにより、少なくとも１つの突出部を含む固定開口を囲む、前面縁部の領域に少なくとも、剛毛キャリアを再形成し、少なくとも１つの剛毛が固定開口に埋め込まれ、そこで固定され、従って、少なくとも１つの突出部の縁部部分で剛毛キャリアの材料は、再形成の間、固定開口内で水平方向に動き、少なくとも１つの剛毛をプレスする工程と、
ｆ）工具部分の、剛毛キャリアまでの距離が拡大され、従って少なくとも１つの剛毛が受け入れ開口から引っ張り出される工程と、を特徴とする。
【００１４】
本発明に係る方法において、剛毛束は固定開口に差し込まれ得る。再形成中、１つ以上の突出部の縁部の領域における剛毛キャリアの材料は、固定開口内へ水平方向に動かされ、複数の剛毛を前側に配置するためにそれら複数の剛毛をプレスする（押す）。
【００１５】
本発明に係る方法において、追加の材料は、前側の前面縁部の一部の領域にのみ提供され、縁部の前記一部分を、後方から少なくとも１つの剛毛と噛み合うのに十分な程度まで内側へプレスする役割を果たす。実際、突出部は、材料が多すぎると、前面縁部周りに完全には広がらない。結果として、再形成後、平らなより大きい突出カラーが、剛毛又は剛毛束の周りに広がる。前記カラーは、可能な限り防止される、又は、少なくとも減らされる。本発明によると、１つ以上の突出部は、壁材料が少なくとも１つの剛毛、望ましくは剛毛束と噛み合うのに十分でないような領域にのみ提供される。固定開口を含む剛毛キャリアは、事前製造された射出成形部分であり、それゆえ、製造が非常に容易であり、再加工が不要である。射出成形の間に既に、固定開口と少なくとも１つの突出部とが製造されることが望ましい。従って、固定開口は、剛毛キャリア材料の中へ打ち込む、加熱ピンのような穿孔機によっては製造されない。さらに、少なくとも１つの突出部は、加熱ピン形状の穿孔機のプレス中、材料を置換することによっては製造されない。
【００１６】
縁部の領域において固定開口へ水平に動かされる材料によって、少なくとも１つの剛毛の前側に向けた角度方向は、そのような突出部がない方向と比較して変更される。特に、材料が十分でない場合、周囲に配置された剛毛又は剛毛束の剛毛は、所望の角度位置に配置される代わりに外側へ突出する。これは、特に、剛毛が前側に垂直に伸びる場合に明らかになる。追加の材料は、形成されて内側に突出するビードのサイズが、剛毛又は外側周囲の剛毛を所望の角度、望ましくは、前面に垂直にプレスするのに十分大きいことを保証する。
【００１７】
本発明に係る方法は、剛毛キャリアの追加の材料によって、固定開口が、口（前面縁部から実際の開口部の前側への移行部）の端部の領域において非対称に閉じられることを規定する。
【００１８】
この非対称により、少なくとも１つの剛毛、望ましくは剛毛束が、再形成された突出部を有する部分から傾斜して離れて広がり、この位置で固定開口に確実に保持されることがさらに保証され得る。
【００１９】
さらに、次に、口の部分において固定開口へ水平にプレスされた材料は、突出部の材料である必要はないが、突出部の再形成前に突出部の下方に配置され、固定開口へ水平方向にプレスされる材料であってもよい。
【００２０】
工程ｂ）において、少なくとも１つの剛毛は、前面に傾斜した固定開口へ差し込まれ得る。「前面に傾斜」という用語は、突出部が凸形状を形成するとき、突出部によって形成されない前側の部分を言及している。突出部とは別に、前側は平坦であることが望ましい。この場合、固定開口を囲み、内側（これは、固定開口を囲む壁の内側を意味する。）に広がる、縁部の少なくとも一部は、前側の平らな部分へ傾斜して広がる。
【００２１】
特に、少なくとも１つの剛毛は、傾斜して固定開口に差し込まれ、例えば工具部によって、前記傾斜した配置にある材料の再形成の間保持される。口の部分における材料の非対称再形成は、少なくとも１つの剛毛の配置が差し込まれた後変化せず、工程ｆ）の後、少なくとも１つの剛毛が傾斜した状態で固定開口に永久的に拘束することを保証する。
【００２２】
しかしながら、別の実施形態において、少なくとも１つの剛毛が、工程ｂ）では、望ましくは平坦な前側に垂直に固定開口へ差し込まれ、工程ｅ）では、前側に対して傾斜した状態で、固定開口内へ水平方向に動く材料によってプレスされ、追加の材料なしで剛毛又は剛毛束の周囲剛毛が外側へ傾斜するように、前記傾斜配置で固定される、又は、垂直方向にある前側にプレスされる。
【００２３】
固定開口は、固定開口を規定する壁の内側とも呼ばれる、剛毛キャリアの内側の周囲縁部によって規定される。突出部は、剛毛キャリアの内側に広がる縁部の一部（つまり、固定開口の内側の一部）に割り当てられ、工具部分による剛毛キャリアの衝突の前に、前側に垂直又は基本的には垂直広がる。この場合、前側全体は、基準領域と呼ばれるだけでなく、突出部が凸状の湾曲形状を有すると、突出部外側の前側領域とも呼ばれる。むしろ、これは、突出部の外側の前側の平らな領域も言及する。剛毛キャリアが射出成形部分であり、固定開口が射出成形の間に生成されると、必要な抜き勾配角度は、スライダが用いられない場合、固守されなければならない。従って、固定開口を規定する壁の内側である、固定開口の内側縁部は、スライダが用いられていないと、抜き勾配により、徐々に内側へ先細りになっており、それゆえ、壁が基本的に前側に垂直に広がるだけである。
【００２４】
突出部は、前側に垂直な方向へ見ると細長い突出部であり得る。前記突出部は、突出部がこの領域において最終高さにまで隆起する場合、突出部の始点と終点は最終的に除き、一様な断面を有することが望ましい。
【００２５】
前側に垂直又は基本的に垂直に広がる部分とは反対に配置された、剛毛キャリア内で広がる縁部の前記部分は、工具部分による剛毛キャリアの衝突前、前側に傾斜した状態で広がり得る。ここでまた、これは、突出部によって形成されない、前側の領域を再度言及する。この領域において、前側は平面に形成されることが望ましい。固定開口における縁部の前記傾斜部により、少なくとも１つの剛毛又は剛毛束の傾斜位置は、再形成のあと規定される。
【００２６】
代替実施形態において、剛毛キャリアにおける固定開口を規定する囲み縁部全体は、工具部による剛毛キャリアの衝突の前、前側に（突出部の部分から再度離れて）垂直又は基本的に垂直に広がる。つまり、囲み縁部は、円柱状の外側表面を規定する。
【００２７】
前側に対して垂直に見ると、固定開口は、細長い形状を有し得る。加熱により剛毛端部が融解された剛毛束のために、縦軸方向へ生成されたビードは、横軸方向へ生成されたビードよりも大きい。細長い断面を有するそのような剛毛束が細長い固定開口に差し込まれると、固定開口の縁部は、短い側の領域に比べて、縦軸側の領域へさらに内側へ押し込まれなければならない。従って、いくつかの場合、再形成を可能にするための十分な材料がない。このため、任意ではあるが、少なくとも１つの突出部が、細長い固定開口の前面縁部の１つのみの又は両方の縦軸側に提供される。短い側には突出部はない。ここでまた、剛毛キャリアの内側を規定する囲み縁部は、任意ではあるが、円柱状の外側表面のように構成され得る。
【００２８】
さらなる変形において、固定開口は、前側に対して垂直な方向へ見ると、細長いアーク形状の構成を有する。１つ以上の突出部は、内側のアークセクション、つまり、剛毛キャリアの内側に規定される縁部が凸状に広がる領域に配置される。
【００２９】
再形成のための十分な材料を提供するためには、特に、多数の剛毛が差し込まれている細長い又はアーク形状の固定開口に対して、１つ以上の突出部が有利である。しかしながら、ここでは特別な特徴は、突出部が固定開口の口周りを一周閉じた状態にある完全なカラーとして広がるのではなく、セクションにのみ、特に固定開口の一サイドにのみ提供されるということである。
【００３０】
複数の固定開口もまた、提供されてもよく、それら全てが材料の堆積を形成するための１つ以上の突出部を含まなくてもよい。特に、円形固定開口が突出部なしで構成されてもよく、それゆえ前側が再形成前、既に固定開口に平面に広がる。
【００３１】
前面縁部は、縁部の一部又は複数の部分の領域において少なくとも突出部を含み、そこでは、前側を外側へ終端させる、隣接固定開口までの距離、又は剛毛キャリアの周囲側までの距離が最大０．５ｍｍである。固定開口が互いに近接しすぎて配置されるため壁の厚さが薄すぎる場合、内側に押し込まれ、剛毛束を保持可能にするのに十分な材料がない。これは、突出部によって防止される。
【００３２】
本発明のさらなる解法において、突出部は、互いに近接して配置される、２つの固定開口の間に、固定開口から隣接固定開口まで広がる。従って、突出部は、両方の固定開口に対して通常の突出部であり、両方の固定開口において剛毛を固定するための材料を提供する。
【００３３】
再形成の間、突出部は、完全に又はほぼ完全に平坦な形状にプレスされる。少なくとも１つの剛毛又は複数の剛毛に対して１つの最小突出部が残り得ることが最もよい。
【００３４】
本発明の方法において、剛毛キャリアの前側が加熱されることが望ましい。ここで、剛毛キャリアの前側が、剛毛材料及び／又は剛毛キャリア材料の融解温度以下の温度まで、とりわけ、剛毛及び／又は剛毛キャリア材料の個々の融解温度の最大８５％まで加熱される。工具部分は、特徴ｅ）に係る、加熱された剛毛キャリアに圧力を加え、各々加熱された剛毛キャリアを再形成する。
【００３５】
前側の剛毛キャリアの加熱は、好ましくは加熱されている工具部分によって行われる。好ましい変形形態の場合のように、工具部分の前側が数秒間にわたって前面に接触する場合、工具部分の前面の温度もまた、剛毛キャリアの前側の温度に対応し、したがって、２つの温度は互いに対応する。これは、工具部分の前面が、剛毛材料および／または剛毛キャリア材料の融点温度より低い温度、特に剛毛材料および／または剛毛キャリア材料のそれぞれの融点温度の℃単位における最大８５％まで加熱されることを意味する。
【００３６】
上述の方法ステップは、好ましくは、上記の順序で実行されるが、これは必須ではない。例えば、剛毛キャリアの前側もまた最初に加熱されてもよく、その後、剛毛キャリアに対する工具部分の距離が低減されてもよく、または両方のステップが同時にまたは部分的に同時に実行されてもよい。
【００３７】
距離の変化は、工具部分がホルダ部分に相対的に移動することによって行われる。すなわち、工具部分が移動され得、その後ホルダ部品が移動しないか、もしくはその逆であってもよく、または、工具部分とホルダ部品が両方とも移動する。
【００３８】
以下において「少なくとも１つの剛毛」が使用されるとき、これは、受け入れ開口および固定開口内に位置する単一の剛毛、受け入れ開口および固定開口内に位置する単一の剛毛束のうちの剛毛、ならびにまた、その受け入れ開口および固定開口内に位置するいくつかの剛毛束を示すように意図されており、したがって、本発明は、単一の剛毛または互いに離間されている単一の剛毛の固定に限定されない。加えて、剛毛束がまた、読解を向上するために以下においていくつかの場所において言及されているとき、本発明は、基本的に、１つまたは複数の単一の剛毛を有する剛毛キャリア、およびまた、１つまたは複数の剛毛束を有する剛毛キャリアまたはこれらの組み合わせに使用され得る。これは、加えて、方法クレームおよび装置クレームにも関係する。
【００３９】
以下では、複数の機能強化について説明するが、これらの機能強化は、それ自体で発明であり、互いに組み合わされて改善も表す。後述する装置にはまた、コントローラだけを対応してプログラムしなければならない、本方法の文脈で説明されている特徴を設けることもできることに留意されたい。
【００４０】
加熱に起因して、剛毛キャリアを収容するホルダは、例えば、動作中に放射線によって加熱され得る。加えて、剛毛キャリアに圧力が加えられる期間は、剛毛キャリアがより深く、前側からより遠隔した位置で過度に加熱されるのに十分な長さを有することができ、したがってまた、広範な試験が示しているように、上記のより深い領域内で再成形され得る。これを防止するために、本発明の変形形態によれば、剛毛キャリアの裏側が能動的に冷却され、一方、剛毛キャリアに圧力が加えられる。これは、別個の冷却装置が、例えば液体冷却によって提供されることを意味する。したがって、圧力の印加中に再成形するのに十分な高温が存在する剛毛キャリアの容積範囲は、より小さい境界内で設定され得る。さらに、再成形が行われない、剛毛キャリア内の安全ゾーンが、冷却装置によって生成される。
【００４１】
圧力が加えられている間に、剛毛キャリアの裏側が能動的に冷却される。好ましくは、ここでは剛毛キャリアがプロセス中に最大２５℃まで加熱されることが保証される。
【００４２】
それによって対向力が裏側の剛毛キャリアに加えられ、それに剛毛キャリアが当接する上述のホルダは、特に液体冷却を用いて能動的に冷却される。
【００４３】
冷却は、剛毛キャリアの裏側でのみ行われ得るだけでなく、随意選択的に剛毛キャリアのいわゆる側面の一部上でも行われてもよい。側面は、剛毛キャリアの前側と裏側とを接続する表面である。冷却に起因して、剛毛キャリアが前側と裏側との間で圧搾されるときに、側面が横方向外側に向かって塑性的に再成形されることが防止される。ここで、例えば、ホルダは、剛毛キャリアに対して相補的に形成され、ホルダに対する裏側および側面の当接を確実にする、剛毛キャリアのための受け入れ凹部を備えることができる。
【００４４】
剛毛キャリアは、少なくとも１つの剛毛が差し込まれた後最初に、加熱可能な工具部によって加熱されることが望ましい。
【００４５】
工具部は、統合された電気抵抗加熱器よって、又は、剛毛キャリアと接する、接触表面の工具部外面と一時的に接触し、前記接触の工具部へ熱を移動させる、加熱隣接部によって加熱され得る。工具部の制御された予め決められた温度までの加熱は、多少加熱された隣接部分の「偶然の」加熱によって実施されるのではなく、工具部に対する専用の加熱器によって実施される。剛毛キャリアに圧力が加えられている間に、剛毛キャリアに前側の工具部分が接触し、裏側のホルダが剛毛キャリアに接触しているとき、装置内に圧力が加えられる。特に、装置は、圧力を加えるために停止するように動かされる。つまり、ホルダと工具部分との間には、それらがその前面で互いに接触するため、距離がない。好ましくは、この接触は、ホルダと工具部分との間の分割面において、その領域全体において、かつ、包囲された剛毛キャリアの周囲で行われる。このようにして、剛毛キャリアを受け入れるために、ホルダと工具部分との間に形成されるキャビティは、分割面内でシールされる。ここで、完成した剛毛キャリア上に隆起部を形成するために間隙内に移動し得る剛毛キャリアはない。
【００４６】
驚くべきことに試験中に示されているように、装置が直ちに離されず、剛毛キャリアがいわゆる印加時間（前側と裏側の間で剛毛キャリアに圧力が加えられる期間）の後すぐには除去されないとき、剛毛キャリアの安定性および精度、ならびに少なくとも１つの剛毛、特に剛毛束の剛毛の位置整合が増大され得る。サイクルタイムに関しては非常に不都合なことであるが、印加時間後に前側と工具部分との間に通気間隙が生じる。つまり、工具部分およびホルダは互いからわずかに外される。ここでは、装置は完全には分離されず、また、剛毛キャリアが除去されるかまたは除去され得る位置に運ばれることもない。少なくとも１つの剛毛、好ましくは１つまたは複数の剛毛束を含む剛毛キャリアのための休止期間が組み込まれ、その間、装置内の通気間隙が前側を冷却する役割を果たす。この休止期間では、ホルダの形状に応じて、裏側が側面にさらに接触し得、形状安定化効果が得られる。
【００４７】
所定の休止期間は、少なくとも１秒、特に少なくとも１．５秒であるべきである。好ましくは、この時間の間に、ホルダと工具部分との間の他の移動は行われない。代替的に、ゆっくりとした開動作を行うことができる。
【００４８】
少なくとも１つの剛毛、特に１つまたは複数の剛毛束が、休止期間全体にわたって関連する受け入れ開口内に留まることが、特に有利である。受け入れ開口は、休止期間中に１つまたは複数の剛毛束の剛毛（複数可）の形状を保持する。ここで、固定開口の周囲の領域は、より安定する。明らかに、内部応力は減少する。
【００４９】
通気間隙は、装置の運動方向（装置の開閉運動中のホルダと工具部分との間の運動方向）において測定される少なくとも１ｍｍの高さを有するべきである。
【００５０】
上述したように、好ましくは、通気間隙は、休止期間中一定に保持することができる。
【００５１】
随意選択的に、冷却空気が、通気間隙を介して剛毛キャリアの前側に吹き付けられてもよい。したがって、休止期間の持続時間を短くすることができる。
【００５２】
本発明のさらなる特徴は、装置の閉鎖位置に達することによって完了する、工具部分と剛毛キャリアとの互いに対する給送運動の後に、所定の印加時間の間、閉位置において剛毛キャリアに圧力が加えられることである。したがって、本発明のこの特徴によれば、サイクル時間を可能な限り短く保つことを意図しているにもかかわらず、物品のプレス、再成形またはパンチの間に通常そうであるように、装置は閉位置に移動されず、直ちに再び開かれる。圧力は剛毛キャリアの抵抗に依存するため、滞留時間中に一定である必要はない。したがって、剛毛キャリアの再成形が増大するにつれて、圧力が低下する。
【００５３】
滞留時間は、少なくとも１秒、特に少なくとも１．５秒でなければならない。
【００５４】
最大３秒、特に最大２．５秒の滞留時間が最適であることが判明している。それ以上は不要である。
【００５５】
剛毛キャリアは、滞留時間の間、特に滞留時間全体の間に前側で加熱されてもよいが、随意選択的に、前側の給送運動中にもすでに加熱されていてもよい。給送運動中に加熱がすでに実行されている場合は、サイクル時間を短縮することができる。加えて、前側は、例えば放射線などによって、給送運動中にすでに加熱されている。前側が加熱された工具部分に接触するとすぐに、装置の後続の閉鎖の間、前側および剛毛キャリアが加熱され、所望の温度にされる。
【００５６】
剛毛キャリアに対する圧力印加時間は、滞留時間と給送運動との時間の合計を用いて決定され、この時間の間、前側が工具部分によって接触されると同時に、裏側が初めてホルダによって接触され、完全に閉じた位置に達するまで圧縮される。印加時間は、少なくとも４秒、特に少なくとも５秒である。
【００５７】
最大印加時間として１５秒、特に最大１０秒が限界であることが判明している。
【００５８】
ここで、滞留時間は、剛毛キャリアが圧縮される上述のともに動く期間よりも小さいことが好ましい。上記ともに動き、圧縮することは、工具部分に対するホルダの非常に遅い給送運動によって行われる。特に、この期間は少なくとも３時間、特に少なくとも４秒続く。
【００５９】
試験は、剛毛キャリアが圧縮されている間、滞留時間が、上記ともに動く期間の最大５０％、特に最大４０％であることを示している。
【００６０】
サイクル時間を短縮するために、工具部分との接触だけでなく、他の手段によってすでに剛毛キャリアの前側を加熱していることが有利であり得る。剛毛キャリアは予熱されてもよい。例えば、剛毛キャリアがホルダ内にすでに配置されている場合、加熱された空気がその前側に吹き付けられてもよく、または、剛毛キャリアが、工具部分を形成しない熱源（例えば輻射熱）に曝されてもよい。これは、工具部分のホルダへの給送運動の間に、または上記給送運動の前に実行されてもよい。したがって、剛毛キャリアは、例えばホルダ／工具部分の調整運動の間、または工具部分がホルダへと横方向に移動される前に予熱されてもよい。したがって、工具部分との接触によるその後の加熱時間を低減することができる。
【００６１】
本発明のさらなる特徴は、装置内の少なくとも１つの剛毛の自由端が、その前面上で支持されることである。この支持体は、同じ剛毛内での、１つまたは複数の剛毛束内の１つまたは複数の剛毛の軸方向位置、または、互いに対する剛毛束の軸方向位置を設定しなければならない。複数の剛毛束の場合、剛毛は、例えば、側面図で見たとき、剛毛束の端部上に鋸歯の形状を有することができる。他の選択肢は、剛毛束が鋸歯形状に形成され、一点に向かって先細になっているか、または円錐状に先細になっていることを含む。
【００６２】
ストッパまたは成形手段として作用する支持体は、この時点で１つの剛毛、複数の剛毛または剛毛束の動きを防止するために、剛毛キャリアに圧力を加えている間に作用することも期待される。しかしながら、少なくとも剛毛キャリアに圧力を加えている間に、好ましくはさらに、圧力を加える前に、または、剛毛キャリアの前側および裏側が工具またはホルダと接触した後の装置の給送運動中に、支持を除去することが有利であることが示されている。つまり、以前に挿入された支持体が、少なくとも圧力印加の最後の段階で、随意選択的には圧力の印加時間全体の間にも取り除かれる。再成形プロセスの少なくとも最終段階で、または、全体的な段階の間でも、支持体によって剛毛に伝達される最小圧力は、剛毛の再成形を引き起こし得、また、剛毛を傾斜させ得るか、または互いに対して平行に位置整合させず、また剛毛束内でも位置整合させないものであり得る。
【００６３】
これに関連して、少なくとも１つの剛毛の断面と、工具部分の関連する受け入れ開口の断面とが、少なくとも１つの剛毛／剛毛束が受け入れ開口内に締結され、締結によって軸方向に位置決めすることができるように、位置整合されることが有利であり得る。剛毛束の１つまたは複数の剛毛が軸方向に位置整合すると、それらは受け入れ開口内に締結され、したがって軸方向に位置決めされる。言うまでもなく、この締結は最小限の締結でしかなく、これは一般的に、前に実施される軸方向の位置整合の過程における移動を可能にする。しかし、剛毛／剛毛束の自重によって、または、また装置の移動中の慣性に起因して、受け入れ開口内の剛毛／剛毛束の自動的なまたは望ましくない動きは生じない。
【００６４】
同様に、現場で使用されるアンカーなし固定の場合にそうであるように、少なくとも１つの剛毛または剛毛束全体が、剛毛材料を融点温度を上回って加熱することによって熱的に再成形することによって、より厚い締結端部を得ることができる。剛毛束を使用する場合、剛毛束の剛毛は熱的な再成形によって融着される。しかしながら、ここでは、隣接する剛毛束は、互いに融着されず、各剛毛束は、それ自体の肥厚締結端部を有し、その先端によって、固定開口に挿入される。
【００６５】
再形成は、少なくとも工程ｃ）から工程ｆ）までが実施される、固定ステーションの外側で実施される。
【００６６】
従って、厚い固定端部の材料は、各固定端部が固定開口部へ導入されるとき、既に凝固させられていることが望ましい。
【００６７】
本発明によれば、開口の縁部を再成形することによって固定開口内に剛毛束を締結することができるだけでなく、剛毛束の複数の厚さの通常のフィラメントを有する、（例えば熱可塑性樹脂製の）予め造形されたいわゆるエラストマー洗浄要素も締結することができる。上記洗浄要素は、洗浄、および、歯ブラシについてはまた、歯肉のマッサージをも、向上させる役割を果たす。さらに、洗浄要素は、ピンの形状を有する必要はなく、任意の断面、特に細長い、円弧状、十字形または丸みを帯びた（円形または楕円形の）形状、およびまた、中央開口を含む対応する環状形状を有してもよい。
【００６８】
少なくとも１つの固定開口は、エラストマー材料、特に熱可塑性エラストマー（ＴＰＥ）から作成される単一の予め造形された剛毛で充填されてもよい。上記単一の剛毛は、剛毛キャリアの再成形によって固定開口に固定される。
【００６９】
好ましくは、単一の予め造形された剛毛は、断面において測定される、０．６ｍｍより大きい、特に０．９ｍｍより大きい最大の壁厚を有する。例えば、矩形の断面形状の場合、最大の壁厚は長手方向において測定される。
【００７０】
随意選択的に、単一の予め造形された剛毛が、肥厚された締結端部を有し得、それによって、剛毛は固定開口に挿入され、剛毛キャリアの固定開口の再成形された縁部によって係合される。肥厚された締結端部は、固定開口の縁部を再成形することによって剛毛を押し付けて弾性的に再成形することによってではなく、単一の剛毛の製造中に生成される。しかしながら、代替的に、剛毛が十分な厚さを有し、縁部が弾性剛毛内に押し込まれる場合には、肥厚された締結端部を排除することも可能であり、それによって、締結端部が変位した材料によって厚くなる。
【００７１】
肥厚した締結端部は、例えば、平らな円筒の形状を有し、かつ／または、単一の予め造形された剛毛は、多要素射出成形部品である。これに関連して、肥厚した締結端部は、例えば、好ましくは、少なくとも、固定開口の外側の単一の予め造形された剛毛の少なくとも外側上面よりも硬質の、例えば、ポリプロピレンなどの別の材料からなってもよい。好ましくは、締結端部は、単一の予め造形された剛毛の残りの部分全体よりもさらに硬い。締結端部がより硬いことに起因して、固定開口内での剛毛の着座が強化される。
【００７２】
通常、複数の固定開口が剛毛キャリアに設けられており、少なくとも１つ、好ましくはより多くの固定開口に、単一の所定の剛毛（複数可）のみが設けられている。しかしながら、ブラシが従来の剛毛束と、より厚いエラストマー洗浄要素との混合を含むように、少なくとももう１つ、好ましくは他のすべての固定開口に、予め造形された剛毛束が設けられる。
【００７３】
単一の剛毛は、側面図に見られるように、例えば、少なくとも剛毛束の自由端まで、その自由端が突出しており、したがって、剛毛束よりも短くはない。単一の剛毛であるエラストマー洗浄要素が剛毛束よりもさらに長く、前側においてその端部を越えて突出していることが有利であり得る。無論、エラストマー洗浄要素はまた、剛毛束よりも短くてもよい。
【００７４】
本発明のさらなる特徴は、剛毛キャリア内の固定開口を画定する壁が、再成形後に、固定開口内に配置された少なくとも１つの剛毛または少なくとも１つの剛毛束全体の締結端部上の区画のみにおいて当接することである。したがって、締結端部はまた、剛毛が１つの単位として互いに一体的に融合する、剛毛束の肥厚した端部または肥厚した締結端部であってもよい。剛毛または剛毛束のいかなる方向への動きをも防止するために、固定開口全体が締結端部に可能な限り密着して間隙がないように当接することが期待されるべきである。しかしながら、本発明は異なる手法をとる。締結端部は完全には圧縮されず、固定開口内にいくらかの隙間を有する。これにより、少なくとも１つの剛毛の位置、ただし特に剛毛束内の剛毛の位置をより正確に調整することができる。例えば、剛毛束の肥厚した端部が完全に圧縮されている場合、剛毛は互いに離れるようにしようとし、したがって、もはや互いに平行に位置整合しない。
【００７５】
例えば、再成形は、固定開口の縁部の領域、すなわち固定開口の口の領域にある壁の部分の領域においてのみ行われるべきである。
【００７６】
最終的なブラシに関して、固定開口の壁は、少なくとも０．８ｍｍの深さにわたって剛毛または少なくとも１つの剛毛束全体の締結端部を締結せず、かつ／または、また、締結端部を再成形しない。締結端部の締結および／または再成形が行われないこの領域は、固定開口の底部から始まり、少なくとも０．８ｍｍにわたって剛毛キャリアの前側に向かってさらに延伸する。
【００７７】
さらには、壁と少なくとも１つの剛毛／剛毛束との間、特に固定開口の底部の領域内または底部に隣接して、通気間隙を設けてもよい。
【００７８】
さらには、壁と少なくとも１つの剛毛／剛毛束との間、特に固定開口の底部の領域内または底部に隣接して、通気間隙を設けてもよい。
【００７９】
上述した剛毛束の１つまたは複数の剛毛の位置整合の精度に関して、肥厚した締結端部は、軸方向において剛毛キャリアの前側に隣接するその端部から始まり、裏側へと、軸方向長さ全体の最大５０％のみに沿って固定開口内に締結され得る。例えば、剛毛端部の融解中に通常生成されるように、締結端部が球形である場合、最大で球体の半分のみが、前側に面する固定開口に締結される。
【００８０】
再成形によって形成された口に隣接する固定開口の収縮された「ネック」、すなわち、後ろから肥厚した締結端部と係合する固定開口の再成形された縁部は、例えば、０．５〜１．３ｍｍ、特に０．６〜０．９ｍｍの軸方向の延長部を有してもよい（本発明の文脈において、「軸方向」とは、常に、前側から裏側へ、または裏側から前側への方向を意味する）。これは極端に低い高さである。
【００８１】
本発明により製造されるブラシ、特に歯ブラシは、本発明に起因して剛毛キャリアの領域において非常に薄い厚さを有することができる。現行の技術水準では、ヘッドの領域における歯ブラシの厚さは４ｍｍよりも大きいが、４ｍｍ未満の厚さが本発明によって保存され、加えて、剛毛または剛毛束の固定力は、現行の技術水準よりも良好である。さらに、本発明に起因して、これまで可能でなかった、前側の縁部に非常に近くに剛毛束、またより大きい剛毛束を配置することが可能である。
【００８２】
剛毛束はまた、固定開口の縁部を再成形することによって、断面において収縮されてもよい。つまり、剛毛束が固定開口内に締結され、剛毛束の縁部が、剛毛が並んで配置された領域内で圧縮されるように、固定開口の縁部が再成形される。剛毛が並んで配置されている領域は、好ましくは、融着した剛毛によって形成された締結端部に直接当接する。このようにして、剛毛束が固定開口内に挿入された後、剛毛束は、固定開口の再成形および収縮後に、剛毛束が以前有していたような、より小さな断面を得る。
【００８３】
好ましくは、剛毛束が少なくとも３％、特に少なくとも５％小型化されることが可能にされる。上記小型化は、断面の差、すなわち、端部の領域内の再成形された固定開口の断面に対する工具部分の受け入れ開口の断面、すなわち、前側に対する固定開口の口の断面の差、すなわち断面積の差によって規定される。
【００８４】
しかしながら、歯ブラシの場合、断面は最大０．４ｍｍしか減少しない。
【００８５】
好ましくは、再成形の前、一切力を加えずに固定開口への締結端部の挿入を可能にするために、固定開口は、束／剛毛の締結端部の最大断面と比較して、０．２ｍｍ未満の余剰しか有しない。再成形後、固定開口の収縮された縁部は、縁部の断面が締結端部の最大断面積よりも約０．１〜０．３ｍｍだけ狭くなり得る形状適合をもたらす。この最小余長は、優れた引き出し値を実現するのに十分である。
【００８６】
本発明はまた、エラストマーがその裏側にすでに射出成形されている剛毛キャリアを加工することも可能にする。したがって、剛毛／剛毛束が前側から固定開口に挿入されると、エラストマーは、すでに剛毛キャリアの裏側にすでに射出成形されている。剛毛キャリアが圧力の印加中に受け入れられるホルダは、凹部を含む。この凹部は、エラストマーを含む裏側に剛毛キャリアを受け入れるように形成される。特に、凹部の形状は、オーバーモールドによって与えられる剛毛キャリアの形状と相補的であり得る。エラストマーは、歯ブラシの場合は突出するノブを有する舌クリーナとして具現化されるため、ホルダは、対応して相補的に形成された、これらノブのための窪みを含む。
【００８７】
しかしながら、好ましくは、凹部の深さは、エラストマーを受け入れるためのその容積がエラストマーの非圧縮容積よりも小さくなるように形成される。これに起因して、受け入れ部内の容積は、固定開口の縁部を再成形するために、圧力を加える間に、圧縮されたエラストマーの実際の容積に対して適合される。エラストマーは剛毛キャリアよりも柔らかいため、介在されたエラストマーに起因して圧力が低くなり過ぎるのを防ぐ必要がある。
【００８８】
再成形中にホルダによって加えられる対向力は、エラストマーを通じて剛毛キャリアの前部に完全に伝達され得る。したがって、エラストマーを介在させることなく、剛毛キャリアの裏側をホルダと直接接触させることは、対向力を剛毛キャリアに伝達するために必要ない。
【００８９】
上記の本発明による方法の多数の選択肢は、以下の強化されたステップを含むことができる。
剛毛キャリアに反対側の工具部分の前面が、剛毛材料および／または剛毛キャリア材料の融点温度より低い温度、特に剛毛材料および／または剛毛キャリア材料のそれぞれの融点温度の℃単位における８５％未満まで加熱されるように、工具部分が加熱される。工具部分は剛毛キャリアに対して移動され、それによって、工具部分は剛毛キャリアと接触し、それを加熱する。
【００９０】
さらなる態様によれば、少なくとも１つの固定開口を含む剛毛キャリアと、固定開口に挿入され、アンカーを使用することなくその中に固定された少なくとも１つの剛毛とを備えるブラシであって、剛毛キャリアおよび少なくとも１つの剛毛は、同じであっても異なる種類であってもよい熱可塑性樹脂から形成される、ブラシを製造するための本発明による方法は、以下のステップ、すなわち、
剛毛キャリアの反対側の工具部分の前面が、周囲温度と２１０℃との間の範囲内にある所定の温度、特に１５０℃に加熱されることと、
工具部分が剛毛キャリアに対して移動され、その結果、工具部分が剛毛キャリアに接触し、剛毛キャリアを所定の温度に加熱し、ただし、剛毛キャリアおよび少なくとも１つの剛毛が融解することがないように、工具部分が剛毛キャリアに対して動かされることとによってさらに強化される。
【００９１】
任意の実施形態において、熱可塑性樹脂は、好ましくは、ポリエステル、特にポリエチレンテレフタレート（ＰＥＴ）、好ましくはＢＲ００３、およびポリブチレンテレフタレート（ＰＢＴ）、ポリプロピレン（ＰＰ）、ポリカーボネート（ＰＣ）、ポリアミド（ＰＡ）、ポリビニルアセテート（ＰＶＡ）、ポリエチレン（ＰＥ）、アクリロニトリル−ブタジエン−スチレン−コポリマー（ＡＢＳ）、およびスチレン−アクリルニトリル−コポリマー（ＳＡＮ）から成るグループから選択される。ホモポリマーおよびまたコポリマーを、上記の熱可塑性樹脂とともに使用することができる。
【００９２】
本発明によれば、工具部分が剛毛キャリアに接触するときに、剛毛キャリアおよび工具部分に挿入された少なくとも１つの剛毛は融解することにならない。ここで、所定の温度は、熱可塑性樹脂の融点温度の最大８５％であることが好ましい。したがって、剛毛および／または剛毛キャリアの損傷を確実に防止することができる。
【００９３】
好ましくは、所定の温度は、３０℃〜１５０℃、より好ましくは６０℃〜１４０℃、特に９０℃〜１３０℃または１００℃〜１１５℃の範囲にある。
【００９４】
さらに好ましくは、所定の温度は、熱可塑性樹脂のガラス転移温度より高い。これにより、熱可塑性樹脂の十分な再成形性が確保される。
【００９５】
本発明による方法は、一方では剛毛、１つまたは複数の剛毛束の排他的なアンカーなしの締結を可能にするため、基本的に現行の技術水準とは異なる。固定開口は予め造形されており、これは、加熱されたパンチを用いて穴を剛毛キャリアにプレスするのではなく、剛毛キャリアの射出成形中に受け入れ開口がすでに生成されていることを意味する。さらに、内側の受け入れ開口は最初に加熱されず、したがって開口の内側の縁部が軟化し、それによって、剛毛または剛毛束が受け入れ開口の軟質壁内に押し込まれる。むしろ、剛毛または剛毛束（複数可）は好ましくは最初に受け入れ開口に挿入され、その後、剛毛キャリアは融解することなく工具部分の反対側の前側で加熱される。このプロセスは、剛毛材料および／または剛毛キャリア材料の融点温度よりも低い温度で実施され、加熱は、その後剛毛または剛毛束が供給されるときに、離されなければならない別個の専用加熱工具によってではなく、剛毛または剛毛束が中に配置される工具部分によって行われる。したがって、剛毛または剛毛束が配置されている工具部分自体によるこのような加熱は、現行の技術水準によって意図されておらず、現行の技術水準によって生じ得るものでもない。これは、現行の技術水準の剛毛束は、剛毛キャリアの軟化した、加熱された壁に貫入しなければならず、したがって、剛毛束に加えられる圧力を伝達するために高い固有の安定性を有しなければならないためである。裏側から剛毛束に加えられる圧力および低温の剛毛束の固有の剛性に起因してのみ、剛毛キャリアの軟化した壁の固定端部をプレスすることが可能であった。さらに、加熱は、現行の技術水準において支配的であるように、無接触加熱によってではなく、剛毛キャリアに加熱工具部分自体を接触させることによって行われる。したがって、一方では、エネルギー遷移がより速く達成され得、他方では、装置は、より少ない部品を使用することによって実現され得る。
【００９６】
再成形プロセス全体の間に、剛毛キャリアは、融点温度未満の温度、好ましくは融点よりもかなり低い温度、例えば、℃単位で計算されるそれぞれの融点より少なくとも１５％低い温度、また、３００°Ｋ以上のガラス転移温度を有する剛毛キャリア材料に対しては、好ましくは°Ｋ単位で表されるガラス転移温度を最大１５°上回る温度まで加熱される。３００°Ｋ未満のガラス転移温度を有する剛毛材料の場合、再成形プロセス全体の間に剛毛キャリアが加熱される温度は、°Ｋ単位で計算されるガラス転移温度を最大５０％上回る。好ましくは、剛毛キャリアは、ガラス転移温度を上回る温度に加熱される。
【００９７】
上記および以下に記載される本発明および有利な変形は、剛毛キャリア材料としてのポリプロピレンの使用に特に基づくものであり、そこから、いくつかのグループは３００°Ｋ未満のガラス転移温度を有し、他のものは３００°Ｋを上回るガラス転移温度を有する。他の好ましい剛毛キャリア材料は、ＰＥＴ、ＰＢＴ、ＰＡ、ＡＢＳ、ＳＡＮ、およびＰＣである。これらの剛毛キャリア材料はすべて３００°Ｋを上回るガラス転移温度を有する。
【００９８】
ガラス転移温度は、例えば、動的機械熱分析（ＤＭＴＡ）によって識別することができる。半結晶性サーモプラストの場合、融点温度は融解範囲の上端と考えられる。融点温度の識別は、例えば、動的示差熱量測定（ＤＳＣ）によって行うことができる。非晶質サーモプラストの場合、流れから処理範囲への移行が融点温度と考えられる。
【００９９】
剛毛キャリアを製造するためのサイクル時間が非常に短いため、本発明の一実施形態によれば、工具部分は、剛毛キャリアに接触する前に加熱される。これは無論、剛毛または剛毛束自体がすでに加熱されているという欠点を有するが、剛毛束は柔らかい壁の中に押し込まれなければならないため、現行の技術水準では意図されていない。本発明によれば、工具部分は、剛毛キャリアに接触する前に、その所定の最大動作温度まで加熱することができる。
【０１００】
とりわけ、本発明の一実施形態によれば、本発明は、剛毛キャリアの樹脂の融点温度が１つまたは複数の剛毛の融点温度以下であることを可能にする。しかしながら、剛毛キャリア材料が、例えばポリプロピレンおよびＰＡなど、剛毛材料と同じであるブラシも存在する。
【０１０１】
上述したように、剛毛キャリアは、工具部分によって少なくとも１つの剛毛を挿入した後、好ましくは接触させることによってのみ加熱されるべきである。無論、剛毛キャリアが温かいまたは熱い工具部分に近づく場合には、最小限の温度上昇が発生し得るが、この温度上昇は全く意味がなく、その直接の表面上でのみ生じる。
【０１０２】
しかしながら、給送運動の持続時間が非常に長い場合、代替形態として、工具部分の給送運動の間に、工具部分が、剛毛キャリア材料の融点温度より低く、好ましくは剛毛キャリアの材料のガラス転移温度以上である温度まで、工具による接触領域の領域内で剛毛キャリアを加熱することが考えられる。代わりに、または相補的な方法として、剛毛キャリアはまた、剛毛キャリアを接触させることによって工具部分によって上記の温度まで加熱されてもよい。
【０１０３】
本発明の一実施形態によれば、剛毛キャリアの所定の温度または上記の温度範囲までの加熱は、再成形操作は完了するまで、工具部分に面する剛毛キャリアの表面（前側）の下０．２５〜０．５ｍｍまで浸透する。工具部分が剛毛キャリアに対してより長い時間にわたって押し付けられ、それによって剛毛キャリアを加熱するとき、加熱エネルギーも剛毛キャリアの内側により深く浸透する。このため、工具部分による剛毛キャリアの最初の接触において工具部分をそれほど深く加熱する必要はなく、給送運動および印加時間（接触期間）中に加熱が達成されれば十分である。
【０１０４】
剛毛キャリアに対応する給送運動の第１の段階では、工具部分は、固定開口を包囲する縁部の領域において、ただし、好ましくは接触領域全体において、３００℃以上のガラス転移温度を有する剛毛キャリア材料が使用される場合、剛毛キャリア材料のガラス転移温度の、℃単位における６０％、特に８０％である閾値温度を上回る温度まで、剛毛キャリアを加熱することができる。これは、特に３００°Ｋ以上のガラス転移温度を有するポリプロピレンの変種、ＰＥＴ、ＰＢＴ、ＰＡ、ＡＢＳ、ＳＡＮおよびＰＣのような剛毛キャリア材料に関する。代替的に、クラス温度転移温度が３００°Ｋ未満である剛毛キャリア材料が使用される場合、特に、そのような低いガラス転移温度を有するポリプロピレンの変種が使用される場合には、閾値温度は周囲温度である。工具部分が給送運動の第２の段階において縁部を再成形する前に加熱が行われ、縁部が少なくとも１つの剛毛を押圧する。
【０１０５】
剛毛キャリア材料は、特に、ガラス転移温度と、℃単位で計算されるサーモプラストの融点温度の約８５％未満との間の範囲の温度に加熱することができる。使用される熱可塑性材料に依存して、温度は、好ましくは３０℃〜２１０℃、より好ましくは６０℃〜１４０℃、好ましくは９０℃〜１３０℃、または１００℃〜１１５℃の範囲内である。
【０１０６】
試験で示されているように、工具部分が剛毛キャリアに接触する前に、特に、剛毛キャリアが少なくとも固定開口を包囲する縁部の領域（好ましくは接触面全体）において、３００°Ｋ以上のガラス転移温度を有する剛毛キャリア材料（これは特に、３００°Ｋ以上のガラス転移温度を有するポリプロピレンの変種、ＰＥＴ、ＰＢＴ、ＰＡ、ＡＢＳ、ＳＡＮおよびＰＣのような剛毛キャリア材料に関する）が使用される場合は剛毛キャリア材料のガラス転移温度を℃単位において４０％、特に℃単位において２０％下回る閾値温度を上回る、または、特に３００°Ｋを下回るガラス転移温度を有する剛毛キャリア材料、特に、そのような低いガラス転移温度を有するポリプロピレンの変種、が使用される場合は周囲温度に等しい閾値温度を上回る温度まで加熱される前に、剛毛または剛毛束は、最初に受け入れ開口に押し込まれるべきである。固定開口の縁部は、少なくとも、剛毛キャリアの前側の外側縁部である。
【０１０７】
本発明の別の変形では、固定開口の縁部が周囲温度より少なくとも３０℃高い温度まで加熱される前に、特に、固定開口の内側における固定開口の縁部が、工具部分によって周囲温度よりも高い温度に加熱される前に、少なくとも１つの剛毛または剛毛束が最初に固定開口内に押し込まれる。つまり、加熱可能なピンが開口の内側縁部、すなわち、開口を画定する壁を加熱するために穴の底部まで開口へと貫入しなければならない現行の技術水準とは対照的に、開口内部の縁部は最後の変形においては顕著に加熱されない。
【０１０８】
再成形は、剛毛束が小型化されるように、剛毛キャリアの縁部が、周全体に沿って剛毛キャリアの前側または前面への移行時に、締結された剛毛束の外側の剛毛を押圧するような種類のものでなければならない。無論、小型化の種類および量は、剛毛束の断面に依存する。歯ブラシの場合、固定開口の断面は、例えば、最大０．３ｍｍ、好ましくは最大０．１５ｍｍ縮小される。
【０１０９】
好ましくは、開口壁が加熱されないことは、他の実施形態をも参照する。これは、随意選択的に、一般的に前側が固定開口に移行している前側の領域のみにおいて、縁部が所定の閾値温度または温度に加熱されるが、周囲温度は基本的に工具部分が剛毛キャリアと接触しない限り、開口内で維持されることを意味する。
【０１１０】
本発明の好ましい実施形態によれば、工具部分はまた、固定開口の縁部の周囲の点状領域または線状領域だけでなく、工具部分が剛毛キャリアと接触する接触領域全体において加熱される。これは、工具部分が接触領域全体、したがって工具部分の隣接する材料領域全体を使用して、印加される高圧によって上記材料領域を移動させて再成形することができるという利点を有する。加えて、工具部分が、工具部分に面する剛毛キャリアの前面、すなわちその前側全体に接触し、ただし、前側の面積の少なくとも７０％が圧力にさらされることが有利である。現行の技術水準では、唯一の加熱されて再成形された材料である突出したビードに起因して、生成された剛毛キャリアに一種のカラーが形成されている。本発明は、特に剛毛キャリアの部分が加熱され、再成形され、固定開口の前面縁部の遠隔に位置決めされるため、これとは非常に異なる。
【０１１１】
工具部分に面する前側のみが事実上加熱され、再成形され、一方で、裏側が、剛毛キャリアの基部として示され得るプレート状の安定構造を形成するように、剛毛キャリアの裏側は、固定中に工具部分によって加熱されるべきではない。したがって、剛毛キャリアのこの部分はまた、圧力にさらされている間に再成形されず、形状が変化しない。
【０１１２】
工具部分はまた、少なくとも剛毛キャリアに圧力を加える期間全体にわたって、剛毛キャリアをその前面で加熱してもよい。したがって、本発明は、剛毛束がその後打ち込まれる予熱された剛毛キャリアによる現行の技術水準の場合にそうであるように、剛毛キャリアを短時間で予熱し、続いて剛毛キャリアの加熱された材料部分において剛毛束を迅速に移動させることを目的としていない。
【０１１３】
本発明で使用される樹脂は、例えばコポリエステル、特にＥａｓｔａｒ（商標）ＢＲ００３（２３０〜２８０℃の融点温度範囲を有する）、ポリプロピレン、特に、例えば１６５℃の融点を有するＰＰＨ５０４２のようなホモポリマー、ポリカーボネート、ポリアミド、ポリビニルアセテートまたはポリエチレンである。これらの材料が周囲温度（ここでは３００°Ｋ）を超えるガラス転移温度を有する場合、エネルギーは工具部分を介して剛毛キャリアに伝達されることになる。これは、ガラス転移温度が周囲温度より低い材料に対しても有利である。しかし、剛毛キャリアのこのような材料の本発明の変形形態によれば、工具部分による剛毛キャリアの加熱を排除することも可能である。このとき、再成形は、周囲温度での剛毛キャリアに対する工具部分の圧力によって排他的に実現される。
【０１１４】
好都合なことに、以下に記載される、本発明による方法において、および、本発明による装置によって、剛毛キャリア材料は以下の温度に加熱される：
【表１】
2019514530.tif 000003
【０１１５】
本発明によれば、特にＰＥＴの場合、剛毛キャリアの前側の加熱は、７５〜９５℃、特に８０〜９０℃の範囲内、ＰＰについては１１５〜１２５℃の範囲内、特に１１０−１２０℃の範囲内で与えられる。
【０１１６】
特に、６〜３５、好ましくは１０〜１５のメルトフローインデックス（ＭＦＩ）を有するＰＰが使用される。
【０１１７】
好ましい実施形態では、本発明による方法は、全体的に受け入れ開口に挿入される剛毛を提供するだけでなく、それぞれ剛毛キャリアおよび工具部分内の複数の固定開口および複数の受け入れ開口をも提供する。受け入れ開口は、割り当てられた固定開口と位置整合される。次いで、剛毛束が受け入れ開口に挿入され、次いで、それらが固定開口に挿入され、好ましくは同時に挿入される。工具部分は、固定開口の間の領域全体が加熱されるように、少なくとも固定開口の縁部、好ましくは接触領域全体を同時に加熱する。剛毛キャリアの前側に圧力を加えることによって、固定開口が同時に閉鎖され、したがって剛毛束が同時に固定される。
【０１１８】
好ましくは、工具部分と工具部分上の剛毛キャリアとの間の接触領域は、工具部分に面する剛毛キャリアの前側とちょうど同様に平面状である。
【０１１９】
剛毛キャリアに対する工具部分の給送運動は、圧力および時間を制御された様式で、かつ／または、圧力および経路を制御された様式で実行されてもよい。
【０１２０】
これに代えて、例えば（例えば、スピンドルドライブを介して）電気モータを設けることによって、装置は単純に停止するまで移動され、電気モータの電力またはエネルギーの消費が検出され、所定の閾値に達するとき、装置が、ホルダと工具部分が好ましくは互いに接触している閉位置にあると仮定される。この時点で、いわゆる休止時間が開始し得る。
【０１２１】
用語「剛毛キャリアに対する工具部分の移動または給送運動」は、２つの部分のうちの一方または両方の部分が互いに対して移動していることを示す。
【０１２２】
本発明のさらなる変形によれば、剛毛キャリアとの接触時に開始して、工具部分は、好ましくは一定に保たれる圧力を所定の期間にわたって剛毛キャリア上に加える。上記任意選択の方法は、その後工具部分と剛毛キャリアとを互いに引き離すために、いわゆる印加時間のような期間にわたって、単に圧力が生成され、剛毛キャリアに印加されるため、特に実現が容易である。ここでは、本発明の他の変形と同様に、剛毛キャリア内に剛毛または剛毛束（複数可）を固定するための追加の方法ステップは必要とされない。
【０１２３】
剛毛キャリアに対するまたは剛毛キャリア上への工具部分からの給送運動および／または印加圧力は、工具部分による剛毛キャリアの最初の接触から、経時的に非直線的に最大給送経路に達するまで実行されてもよい。このようにして、例えば、温度のより長いまたはより短い初期印加時間が実現され得、続いて別の圧力が剛毛キャリア材料をさらに、かつ永続的に再成形するために、印加される。
【０１２４】
上述した現行の技術水準とは対照的に、関連する固定開口（複数可）に挿入する間、少なくとも１つの剛毛または剛毛束（複数可）全体の締結端部は、無論、その形状変更の前、および剛毛キャリアを加熱する前は、固定開口の断面よりも小さいものであり得る。つまり、現行の技術水準で提案されているように、剛毛束は固定開口の側壁に押し込まれない。締結端部もまた、加熱されないかまたは軟質にするのに十分に加熱されないため、固定開口の底部に押し込まれない。加えて、剛毛を受け入れ開口から押し出すのに必要な力を超える、軸方向の力は剛毛に加えられない。
【０１２５】
剛毛キャリア上の工具部分の非常に長い印加時間は、剛毛キャリアに圧力が加えられ、加熱もされるが、本方法では不可欠であり、現行の技術水準との大きな相違を表している。印加時間は、少なくとも４秒、特に少なくとも５秒、最大１５秒、特に最大１０秒になる。この長い印加時間にわたって、圧力は同じであってもよく、かつ／または剛毛キャリアの永続的な加熱が行われてもよい。固定開口は、特に最大４ｍｍ、さらに特に最大２．７ｍｍの深さを有する止まり穴であってもよい。
【０１２６】
剛毛キャリアが前側の領域において再成形されると、本発明による方法によって剛毛キャリアの厚さが減少する。
【０１２７】
固定開口は、その全深さの最大８５％の深さ、特に最大７０％、特にさらに最大６０％のみまで再成形および収縮するに過ぎず、これは、止まり穴の底部の領域において先細にされないことを意味する。
【０１２８】
現在の技術水準との大きなさらなる相違点は、これまでに提案された方法よりも著しく高い、加えられた圧力でもある。すなわち、工具部分は、剛毛キャリアに少なくとも２００バール、特に少なくとも４００バールの圧力を加える。
【０１２９】
少なくとも１つの固定開口、好ましくはすべての固定開口は、固定開口の口の領域において工具部分が剛毛キャリアに衝突する前は突出するカラーを有せず、むしろ、剛毛キャリアは、少なくとも工具部分との接触領域において、工具部分に面するその前側において平面状である。２００バール以上の非常に高い圧力は、表面または接触面の領域全体が再成形されることを確実にし、以下で説明する１つの例外を除いて、材料堆積として突出したカラーが必要とされない。
【０１３０】
本発明によって、傾斜した状態で前側へ広がる剛毛束を有するブラシもまた、作り上げられ得る。これは、驚くべきことに、剛毛束の傾斜した方向により、固定開口の口部が傾斜した剛毛の下に部分的に配置され、それゆえ、再形成工具によって到達することが困難であり、一方で、この領域における材料の再形成は、実際、傾斜剛毛束の傾斜アップに至るべきである。しかしながら、テストに示されるような場合ではない。従って、本発明に係る方法と本発明に係る装置によって、剛毛束も傾斜した状態で剛毛キャリアに備えつけられ得る。
【０１３１】
固定開口が、工具部分の反対側の前側に傾斜して延伸する、縁部分をその内側に含む場合、この領域に材料の追加堆積が必要な場合がある。このとき、剛毛キャリアは、例えば、傾斜した縁部分の領域における、その前面縁部上に、又は、傾斜した縁部とは反対に、工具部分によって剛毛キャリアが衝突する前工具部分に向かって前側とは反対側に突出する突出部を有する。それとは別に、剛毛キャリアの前側は完全に平らであることが有利である。
【０１３２】
工具部分として、特に、少なくとも１つの剛毛または少なくとも１つの剛毛束が装填されたマガジンが使用される。したがって、剛毛キャリアまたは複数の剛毛束を剛毛キャリア上に締結する必要がある場合、すべての剛毛または剛毛束は同じマガジン内に収容され、装填後にすべて同時に挿入される。
【０１３３】
装填後、剛毛または剛毛束の締結端部（複数可）は、その締結端部がマガジンから突出し、マガジンから取り外される必要なく上記締結端部上で加熱される。その後、締結端部上にマガジンから自由に突出する肥厚部が生じる。したがって、マガジンは、専用のパンチング工具ではなく、ローディングステーションから剛毛キャリアに横方向に移動され、続いて剛毛キャリアに押し付けられる移送工具でもある。
【０１３４】
肥厚部、すなわち肥厚した締結端部は、その後、すなわち、その作成直後、剛毛キャリアの固定開口に挿入される前に、能動的に冷却され得る。これにより、サイクル時間が長くなる。加えて、圧力の印加中に後続して肥厚部が再成形されることが防止され、それによって、剛毛がもはや最適な方法で互いに位置整合されなくなる。しかしながら、能動冷却は、肥厚した締結端部がそこに存在する周囲温度によって装置内で冷却されることを意味しない。むしろ、冷却装置、例えばファンによって生成される能動的な空気流が提供される。上記空気流は、周囲空気を、加熱される部分に、例えばその部分からより遠隔した場所から移送するか、または、また空調システムから来る冷却空気を供給することができる。さらなる可能性は、剛毛（複数可）を含む締結端部が通過するコールドチャンバを提供することである。
【０１３５】
上述したように、工具部分は、例えば（少なくとも剛毛キャリアとの接触領域において）剛毛キャリアに面する平面状の前面、および／または、固定開口内に突出するように適合されていない、すなわち、現行の技術水準において提案されているような、ピン状の突出部などを有しない幾何学的形状を有する。
【０１３６】
見出されるように、剛毛キャリアに対して両者が互いに当接する、ホルダと工具部分との間のいわゆる分割面の位置が重要である。したがって、剛毛キャリアを受け入れるように構成されたキャビティをホルダ内だけでなく、部分的に工具部分内にも形成することが有利である。しかしながら、剛毛キャリアの厚さに関連して、キャビティの大部分は、ホルダ内の凹部によって形成される。分割面は、好ましくは、剛毛キャリアの側面と前面との間の丸みのある移行部に近接しているか、またはそれに直接隣接しているべきであり、すなわち丸みを帯びた移行部の外側にあるべきである。したがって、この丸みを帯びた移行部には、剛毛キャリアの搾り出された材料によって形成される任意の段差または隆起部が決して設けられない。
【０１３７】
圧力および熱または圧力のみを加えることによって、剛毛キャリアの総厚は、部分的にではなく、全体的に、永続的に低減される。剛毛キャリアの反対側の工具部分の前面は、特に、最大１４０℃、特に最大１３０℃の温度に加熱される。例えば、剛毛キャリアのための材料として、ポリプロピレン、ＰＥＴ、ＡＢＳまたはＳＡＮが使用される。
【０１３８】
剛毛キャリア材料としてＰＥＴを使用する場合、剛毛キャリアの前側は、再成形中に７５〜９５℃、特に８０〜９０℃に加熱され、ＰＰ（例えばメルトフローインデックス（ＭＦＩ）が６〜３５、好ましくは１０〜１５）を使用する場合は、１０５〜１２５℃、特に１１０〜１２０℃に加熱されることが分かっている。
【０１３９】
上記で簡単に述べたように、その前側に突出している、エラストマー、特にＴＰＥから作成される弾性洗浄要素が射出成形され得、少なくとも１つの剛毛を固定する前または後に、剛毛キャリアに固定され得、洗浄要素は、剛毛キャリアの縁部上および／または剛毛もしくは剛毛束の間の縁部の内側に配置される。したがって、同じブラシ内の洗浄要素の混合が考えられる。射出成形洗浄要素、固定開口の縁部を再成形することによって剛毛キャリアに締結される剛毛束、およびエラストマーとして適合される単一の剛毛、同じく固定開口の縁部を再成形することによって剛毛キャリアに固定され得る、予め造形された洗浄要素を、任意の組み合わせで剛毛キャリア上に取り付けることができる。加えて、剛毛体は、多要素射出成形部品として構成されてもよい。
【０１４０】
剛毛はまた、事前に鋭利化されてもよく、これは化学的にもしくは機械的に予め鋭利化された剛毛であり、または、事前に丸められてもよい。
【０１４１】
複数の剛毛束を、同じ剛毛キャリアに固定することができ、少なくとも１つの剛毛束は、少なくとも１つの他の剛毛束の剛毛とは異なる融点温度を有する別の材料から作成される剛毛からなる。異なる剛毛材料から作成される剛毛束は、束の剛毛をともに融着させて、それぞれ肥厚した締結端部を形成するために、別様に加熱される。これは複数の異なる方法で実現することができる：加熱装置に面した剛毛束の端部と加熱装置との間の距離は、剛毛材料に応じて異なるように設定され、および／または、加熱装置は、剛毛材料に応じて異なる温度に加熱され、および／または、異なる温度に加熱され異なる加熱装置が、関連する剛毛材料に従って使用される。
【０１４２】
例えば、剛毛束は、異なる高さでマガジンから押し出される。より容易に融解する材料から作成されるこれらの剛毛束は、例えば、他の剛毛束よりもマガジンに近いままであり、それによって、より外方に突出される剛毛束は、加熱装置に近づき、したがって、より強く加熱される。代替的に、剛毛束はまた、加熱装置に近づくために、異なる剛毛材料を含む剛毛束を次々とマガジンの締結端部で押し出すことによって、次々に処理されてもよい。次いで、加熱装置は、２つの異なる適切な異なる温度に加熱されるか、または、異なる温度に加熱される加熱装置が、それぞれの関連する剛毛束に使用され得る。
【０１４３】
例えば、ナイロンおよびＰＢＴからなる剛毛を含むブラシの場合、まずナイロン製の剛毛を加熱し、次にＰＢＴ製の剛毛を加熱する。
【０１４４】
上述の有利な変形形態はまた、いかなる方法でも互いに明示的に組み合わせることができる。
【０１４５】
本発明による目的はまた、特に、本発明による方法を実施するための、少なくとも１つの剛毛または少なくとも１つの剛毛束のための少なくとも１つの固定開口を有する剛毛キャリアを含む、少なくとも１つの剛毛または少なくとも１つの剛毛束、好ましくは複数の剛毛束を備える１つのブラシを製造するための装置によっても解決され、装置は、ホルダと、少なくとも１つの剛毛または少なくとも１つの剛毛束のための少なくとも１つの受け入れ開口を有する工具部分（例えば、プレスパンチとして構成されている）とを備え、受け入れ開口は、剛毛キャリアに対向する工具部分の前面で終端し、少なくとも１つの剛毛又は少なくとも１つの剛毛束に対する工具部分は、傾斜した状態で、それらの前面まで伸びる、少なくとも１つの剛毛又は少なくとも１つの剛毛束に対する受け入れ開口を含む。工具部分は、前面が最大１４０℃、特に最大１３０℃の温度に加熱されるように適合され制御される、前面の少なくとも部分を加熱する加熱機構を含む。特に、剛毛キャリアの材料として、ポリプロピレン、ＰＥＴ、ＡＢＳ、またはＳＡＮが使用される。傾斜受け入れ開口のため、傾斜して埋め込まれる剛毛、又は、傾斜して埋め込まれる剛毛束は最初に所定位置に固定される。
【０１４６】
本発明による装置では、剛毛または剛毛束の一時的支持体として作用する工具部分が、プレスパンチとして、また、搬送手段と同時に使用される。加熱装置は、多少工具部分の前面に具現化されており、剛毛キャリアに対して動かされるときに、前面が最大１４０℃、特に最大１３０℃の温度に加熱されるように制御装置によって制御される。装置であって、理論的にはより高い温度を使用することができるが、そのコントローラまたはその調整がそれぞれの所定の方法で温度を制限する装置もまた、定義に従った装置の一部である。
【０１４７】
この方法に関してすでに説明したように、工具部分の給送運動は、ホルダおよび／または工具部分の移動によって剛毛キャリアのホルダに対して実現することができ、給送運動は圧力および時間によって制御され、および／または、圧力および経路によって制御され、または時間によってのみ制御されるか、または経路によってのみ制御される。
【０１４８】
本発明による装置は、剛毛キャリアに対する少なくとも２００バール、特に少なくとも４００バールの圧力を発生させることができ、これはホルダに向かうことを意味する。
【０１４９】
工具部分の可熱性は、剛毛キャリアとの接触領域全体で実現されるべきであり、またはさらには、ホルダに挿入される剛毛キャリアに反対側の、工具部分の前面の領域全体で実現されてもよい。
【０１５０】
さらに、本発明による方法に関してすでに説明したように、工具部分は、例えば、装置のローディングステーションにおいて少なくとも１つの剛毛または少なくとも１つの剛毛束を装填されるマガジンである。少なくとも１つの剛毛または少なくとも１つの剛毛束（一般に、「少なくとも１つの剛毛」は、本明細書全体および特許請求の範囲について、１つまたは複数の剛毛束をも指す）は、装填後にその締結端部がマガジンから突出する。ローディングステーションの下流に配置された融解ステーションにおいて、締結端部（複数可）が加熱され、それによりそれぞれ肥厚部が形成される。１つまたは複数の剛毛束を使用する場合、それぞれの剛毛束の剛毛は熱的な再成形によって融着される。特に、キノコ状、カップ状または球状の肥厚部が形成される。
【０１５１】
一般に、本発明による装置では、マガジンが移動され得、ステーションが静止し得るか、または、マガジンが静止したままであり、詰め工具または加熱装置またはホルダがマガジンに対して移動される。上記工具またはホルダは、例えば、回転コンベア上に配置されてもよく、回転コンベアは、順次静的マガジンに移動する。本発明による装置は、剛毛キャリアに対する工具部分の給送運動、および工具部分が剛毛キャリアに接触する前に加熱されるように工具部分の加熱動作をも制御するコントローラを有する。これは、工具部分がホルダに向かって給送運動する前にすでに工具部分が加熱されていることを意味する。この段階では、最大動作温度が存在する可能性があり得るが、必須ではない。少なくとも１つの剛毛が工具部分によって挿入されるまで、剛毛キャリアは加熱されず、これは、マガジン、および、マガジンの前面の剛毛キャリア上のそれぞれの接触面までの距離に対する肥厚端部の余分な長さによって実現される。
【０１５２】
本発明による装置は、特に、再成形動作のために剛毛キャリアの前側を加熱するのに必要な所望の温度に工具部分を永続的に加熱するように構成されている。これは、少なくとも１つの剛毛または剛毛束（複数可）が受け入れ開口（複数可）に挿入されたときに、工具部分もすでに加熱され、所望の温度を有することを意味する。肥厚締結端部を形成するために、工具部分が、剛毛の融解中に少なくとも１つの剛毛／毛束を収容する場合、工具部分の温度および／または受け入れ開口内での少なくとも１つの剛毛／剛毛束の滞留時間が、剛毛束の１つまたは複数の剛毛の再成形を引き起こさないことが保証されなければならない。
【０１５３】
コントローラは、工具部分が、工具部分の剛毛キャリアへの給送運動の間におよび／または剛毛キャリアと接触している間に工具部分との接触面の領域において剛毛キャリアを、剛毛キャリア材料の融点温度より低い温度、好ましくは剛毛キャリアの材料のガラス転移温度以上の温度に加熱するような温度まで工具部分を加熱し、そのように工具部分の剛毛キャリアへの給送運動を制御することができ、特に、コントローラは、３００°Ｋ以上のガラス転移温度を有する剛毛キャリア材料について、工具部分の温度が、°Ｋ単位で計算されるガラス転移温度よりも最大１５％高く設定され、ガラス転移温度が３００°Ｋ未満である剛毛キャリア材料について、°Ｋ単位でガラス転移温度よりも最大５０％高く設定されるようにプログラムされるように構成されている。
【０１５４】
本発明による方法または本発明による装置では、無論、標準的な一要素または多要素射出成形法において製造される剛毛体または剛毛キャリアが供給されてもよい。したがって、（金属）固定技術を用いて実際に従来詰められている歯ブラシにおいて使用されるハンドル、またはより一般的な意味では、剛毛体または剛毛キャリアを使用することができる。しかし、一般に、これらのハンドル／剛毛体／剛毛キャリアは、本発明による方法に必要とされるよりも深い固定開口を有する。
【０１５５】
また、何年もの間、多要素ハンドルまたは剛毛体または剛毛キャリアが、固定技法において提供されており、エラストマー構造が、固定開口の間の剛毛体のヘッド領域および／または剛毛ヘッドの縁部に射出成形される。剛毛ヘッドエラストマーの裏側に、例えば舌クリーナを取り付けて射出成形することができる。これらの可能性のいずれも、本発明による方法および本発明による装置にも適用される。
【０１５６】
固定技法において、これらのエラストマー構造は、詰めが行われる前に前側または裏側に取り付けられる。剛毛を詰めた後のエラストマー構造の取り付けは例外としてのみ行われ、通常の事例ではない。ほとんどの場合、上記エラストマー構造は、多相補型射出成形工具においてより剛性のあるキャリア構造に射出される。このような歯ブラシ本体のための多要素工具は非常に広く使用されている。
【０１５７】
本発明による方法および／または本発明による装置によって供給されるハンドル、剛毛体／剛毛キャリアは、支障がない仕方で、今日知られている任意の剛毛体射出成形技法および射出成形工具を用いて射出成形することができる。このようにして、固定開口は、円形でもよいし、任意の所望の断面形状を有してもよい、射出キャビティ内に突出するモールドピンを用いて予め射出される。上記ピンは、射出成形部品の完全な離型が行われる前に、例えばスライダを用いて、射出樹脂の適切な冷却および／または硬化の後にキャビティから押し出されてもよい。このようにして、いわゆるモールドピンは、互いに平行および／または斜めに配置されて、射出成形部品に平行および／または傾斜した固定開口を生成することができる。本発明による方法および本発明による装置では、ピンは、固定技法を使用することによって詰めなければならない剛毛体または剛毛キャリアの射出成形中よりも、そのような種類の部品の射出成形中に射出キャビティ内に浸漬しないものであり得る。したがって、固定開口の射出長さはより小さい深さを有する。これらの開口の深さがそれほど深くないため、本発明による方法および本発明による装置によって製造されるブラシのヘッドの総厚は、固定技法を使用して詰められる剛毛ヘッドと比較して大幅に低減される。これは、歯ブラシの製造のための臨床上の利点をもたらす。
【０１５８】
本発明による方法および本発明による装置は、剛毛キャリアまたは剛毛体のために透明で透き通った材料を使用する場合、明確な利点を有する。このような材料は、通常、ＰＥＴ、コポリエステル、ＳＡＮ、ＡＢＳなどである。ポリプロピレン製の剛毛キャリア／剛毛体／ハンドルと同様に、上記材料はまた、予備射出成形固定開口を有することができ、および／または多要素法においてエラストマー（例えばＴＰＥ、ＴＰＵ）によって提供することができる。剛毛キャリア／剛毛体／ハンドルが多要素法を用いて射出成形された後、それらは上述したように、また装置に関して以下に説明するように、本発明に従ってさらに処理することができる。
【０１５９】
剛毛を製造する方法の工程において、ホルダと、プレスパンチとして作用する工具部分を含む、経時的かつ／又は空間的ステーションの先行／上流で、剛毛キャリアを生成するための射出成形ステーションが設けられてもよく、そこでは、射出成形型半部に固定して締結されるか、または、部分、例えば、その一体部分である、射出キャビティ内に突出する少なくとも１つの突出部を有する射出成形型半部が設けられている。したがって、射出成形型半部にこれまでに使用されていたアクティブスライダは、部分的にまたはさらには完全に冗長である。各突出部は、ここでは、止まり穴として形成された固定開口を生成する。スライダは製造コストが高いだけでなく、メンテナンスおよび修理に関しても高価である。本発明による装置に関しては、剛毛または剛毛束は、固定開口のための最小深さを必要とする、剛毛キャリア内のアンカーを用いて固定されておらず、剛毛または剛毛束を固定するための低減した深さを有する固定開口で十分である。当然、射出成型ステーションは、ホルダを含むステーションに隣接して配置される必要はないことに留意すべきである。むしろ、射出ステーションは、別の製造設備に、又は、遠隔製造地、例えば、別の町に、局所的に設けられ得る。従って、剛毛キャリアは、例えば、在庫で製造され、そして、剛毛束を与えられるために、別の設備又は別の製造地に移動させられ得る。
【０１６０】
射出成形型半部は、第１部分と、第１部分に収容されたインサートによって形成され得る。インサートは、インサートの前側から突出する突出部を含む。インサートは、インサートによって閉じられた、第１部分対して、つまり、第１部分における各開口において、スライド自在である、
【０１６１】
しかしながら、本発明は、特に、本発明による方法を実施するための、ブラシを製造するための装置を生成し、少なくとも１つの剛毛または少なくとも１つの剛毛束のための少なくとも１つの受け入れ凹部を含む工具部分、および、対向するホルダが設けられている。工具部分およびホルダは、互いに向かって、および、互いから外方に（給送方向および給送方向の反対方向に）移動可能である。工具部分は、例えば、一体化されている電気抵抗加熱によって加熱可能であり、ホルダには、能動冷却装置、特に冷却水回路に接続された能動冷却装置が設けられている。したがって、互いに接触し、剛毛キャリアを受け入れるための少なくとも１つの共通のキャビティを画定する構成要素において、加熱および冷却が同時に行われる。
【０１６２】
この装置は、剛毛キャリアに圧力を加えるための少なくとも１つの電気モータ、好ましくはサーボモータを有する。電気モータには、圧力を非常に容易に設定することができ、信頼性の高い用意な方法で調整することができるという利点がある。
【０１６３】
圧力を加えるための複数の電気モータが設けられてもよい。加えて、電気モータはまた、工具部分とホルダとの間に複数のキャビティを画定することによって、同時に複数の剛毛キャリアに圧力をかけることもできる。装置の出力速度を増加させるために、特に複数の剛毛キャリアをそれぞれ圧力に曝す複数の電気モータが設けられている。
【０１６４】
さらに、ターンテーブルまたは等価物が、生産速度を高めるために有利に使用され得る。例えば、どのステーションがより長いサイクル時間を必要とするかに応じて、複数のユニットを設けることができる。
【０１６５】
本発明による装置は、動作中に工具部分が、剛毛キャリアへの圧力の印加中に所望される温度に永続的に加熱されるようにプログラムされたコントローラを含むものである。したがって、動作中に所望の温度変動が存在せず、それによって、サイクル速度に悪影響を与える工具部分の昇温時間がなくなる。
【０１６６】
さらに、本発明はまた、本発明による装置のためのホルダに関する。本発明によれば、このホルダには少なくとも１つの冷却チャネルが設けられている。ホルダの外側の端子は、冷却回路、特に液体冷却回路に接続することを可能にする。
【０１６７】
ホルダは、特に、剛毛キャリア（複数可）を受け入れるための１つまたは複数のキャビティを有するプレートである。
【０１６８】
さらに、ホルダは、好ましくは、複数の剛毛キャリアが部分キャビティを形成するための窪みを有する。窪みを含むホルダはブラシ（表面領域支持体）の設計と正確に一致している事実に起因して、新しい設計ごとに新しいホルダを製造しなければならない。したがって、ホルダは非常に高価である。加えて、冷却チャネルはコストを増加させる。
【０１６９】
コストを低減するためには、ホルダがその裏側に、単純にフライス加工によって生成される溝の形態を有する冷却通路を１つだけ有することが有利であり得る。冷却チャネルは、このとき、例えば、永続的に設置され、その前側にも溝が設けられたフランジプレートを設けることによって完成される。その後、ホルダがフランジプレートにねじ込まれると、両方の溝が互いを補完して、１つまたは複数の閉鎖冷却チャネルを形成する。代替的に、冷却チャネル（複数可）はまた、プレート状のホルダを通して１つまたは複数の穿孔によって生成されてもよい。縁部の側部の例えば平行な穴を相互に接続するために、自動車のラジエータと同様にプレートを設けることができる。これらは冷却チャネルの隣接する端部を流体的に接続する。
【０１７０】
各剛毛キャリアに対して、ホルダは、剛毛キャリアと相補的に形成された凹部を有しており、そこから剛毛キャリアが好ましくはわずかに突出している。
【０１７１】
最後に、本発明は、本発明に係る装置に関する、又は、一般的に、剛毛キャリア射出成形装置に差し込まれる射出成形半部に関しており、射出成形半部は、第１部分と剛毛キャリアに収容されるインサートとを含み、剛毛キャリアに対して移動自在で、少なくとも１つ、望ましくは全ての突出部を備える射出成形半部の第１部分に関連して剛毛キャリアに向かってかつ剛毛キャリアから離れて移動自在である。特に、突出部は、インサートの統合構成部品である。
【０１７２】
少なくとも１つの突出部は、インサートの移動方向に対して傾斜して広がる
縁部を有し得る。
【０１７３】
さらに、本発明による方法に関連して上に述べた利点および特徴はまた、本発明による方法に対応する、本発明による装置にも個々にまたは組み合わせて適用されることに明確に留意する必要がある。
【０１７４】
さらに、本発明による方法および本発明による装置は、任意のブラシに使用することができ、歯ブラシに限定されないことに留意されたい。この方法および装置はまた、例えば、家庭で使用されるブラシ、スクラバ、家庭で使用されるほうきまたは任意の種類のほうき、食器用ブラシ、トイレブラシ、ヘアブラシ、真空クリーナブラシ、手洗いブラシ、および、任意の種類の例えば、ネイルラッカーブラシ、フェイスブラシ（歯ブラシ、手動または電気ブラシなど）に使用することもできる。したがって、添付の図面に記載される詳細および変形形態はまた、これらのブラシのいずれかに使用されてもよい。
【０１７５】
本発明のさらなる特徴および利点は、以下の明細書および参照される添付の図面から明らかになるであろう。
【図面の簡単な説明】
【０１７６】
【図１】図１ａは、本発明による装置をも示す、本発明による方法の複数の異なる連続するステップのうちの１つを斜視上面図および斜視底面図において示す図である。  図１ｂは、本発明による装置をも示す、本発明による方法の複数の異なる連続するステップのうちの１つを斜視上面図および斜視底面図において示す図である。  図１ｃは、本発明による装置をも示す、本発明による方法の複数の異なる連続するステップのうちの１つを斜視上面図および斜視底面図において示す図である。  図１ｄは、本発明による装置をも示す、本発明による方法の複数の異なる連続するステップのうちの１つを斜視上面図および斜視底面図において示す図である。  図１ｅは、本発明による装置をも示す、本発明による方法の複数の異なる連続するステップのうちの１つを斜視上面図および斜視底面図において示す図である。  図１ｆは、本発明による装置をも示す、本発明による方法の複数の異なる連続するステップのうちの１つを斜視上面図および斜視底面図において示す図である。  図１ｇは、本発明による装置をも示す、本発明による方法の複数の異なる連続するステップのうちの１つを斜視上面図および斜視底面図において示す図である。
【図２】図１ｅの固定ステーションの斜視底面図の拡大図である。
【図３】マガジンおよびキャリアが互いに向かって移動する前の、図１ｅおよび図１ｆに示された固定ステーションを通る断面図である。
【図４】マガジンと剛毛キャリアとの最初の接触の間の、図３によるステーションのそれぞれの図である。
【図５】給送運動が完了し、印加時間が終了した後で、ステーションが離され、開かれる直前の、図３による固定ステーションのそれぞれの図である。
【図６】代替のローディングステーションを通る断面図である。
【図７】傾斜した方向に向けられている、剛毛束が処理される図３による固定ステーションを通る断面図である。
【図８】本発明で使用される代替的な剛毛キャリアを通る断面図である。
【図９】本発明によって製造された剛毛キャリアの正面図である。
【図１０】図９に係る剛毛キャリアを射出成形するために使用される、射出成形型の断面図であり、射出成形型は射出成形半部を含む。
【図１１】剛毛束および／または単一のエラストマー剛毛の挿入中の剛毛キャリアを通る断面図である。
【図１２】本発明で使用される単一の予め造形された剛毛の変形形態の図である。
【図１３】本発明による方法および本発明による装置の変形形態の図である。
【図１４】本発明による装置の変形形態、ここでは本発明によるホルダを有する固定ステーションの拡大断面図である。
【図１５】エラストマーによって提供される剛毛キャリアを使用するときの、本発明による装置のさらなる変形形態、ここでは本発明によるホルダを含む固定ステーションの拡大断面図である。
【図１６】本発明に係る方法と本発明に係る装置において使用される剛毛キャリアの斜視図である。
【図１７】図１７ａは、本発明に係るブラシ製造の異なる工程を示す。  図１７ｂは、本発明に係るブラシ製造の異なる工程を示す。  図１７ｃは、本発明に係るブラシ製造の異なる工程を示す。  図１７ｄは、本発明に係るブラシ製造の異なる工程を示す。
【図１８】図１８ａは、埋め込まれた剛毛束を有する剛毛キャリアにわたる拡大部分図を示しており、単一剛毛が所望でない状態で突出している。  図１８ｂは、埋め込まれた剛毛束を含む剛毛キャリアにわたる拡大部分図を示しており、周囲剛毛が前側に対して９０°傾斜している。
【０１７７】
図１には、ブラシ、例えば歯ブラシを製造するための装置が示されている。周知のように、そのような歯ブラシは、前側に突出している剛毛束を含む剛毛ヘッドと、ネックと、ハンドルとを備える。これらの３つの部分は、一体的に形成され、互いに融合され得、いわゆる剛毛体を形成する。剛毛ヘッドは、直接詰め込まれてもよく、止まり穴としてすでに予め造形された固定開口を有するプレート状剛毛キャリアを有する２つの部品として具体化されてもよく、上記プレート状剛毛キャリアは、その後、溶接、接着、またはオーバーモールドのいずれかによって、ヘッドの残りの部分と組み合わされる。これに対する代替形態として、剛毛ヘッドが統合して構成され、それによって剛毛キャリアを単独で形成することである。
【０１７８】
そのような実施形態が図１に示されており、剛毛ヘッドは剛毛キャリア１０も形成している。この図では、剛毛キャリア１０は、ブラシのハンドル、ネックおよびヘッドを備えるので、剛毛体でもある。剛毛キャリア１０は、予め造形された射出成形部品である。図２は、剛毛キャリア１０が、剛毛束が挿入され係留される射出成形の間に作成された下側に予め造形された複数の開口１２を有することを示す。しかし、以下の明細書はプレート状の剛毛キャリア１０にも適用され、それに応じて読解することができる。
【０１７９】
図１に示す装置は、複数のステーション、すなわち図１ａおよび１ｂに示すローディングステーション１４、図１ｃに示す融解ステーション１６、および図１ｅおよび図１ｆに示す、剛毛束用の固定ステーション１８を備える。
【０１８０】
すべてのステーションは、単一のステーションを通じて剛毛束を移送する、工具部分とも呼ばれるマガジン２０によって通過される。
【０１８１】
図１では、後により詳細に示す、ブラシ用の受け入れ開口を有するマガジン２０が示されているが、実際の動作においては、マガジン２０は、好ましくは、複数の隣接する受け入れ開口グループがマガジン２０内の複数のブラシに対して形成されるように寸法決めされる。また、複数のブラシのための受け入れ開口グループを複数列設けてもよい。
【０１８２】
マガジン２０は、例えば、一定の厚さを有するプレート状部分であり、これは、図１によれば、上側平面状の前面２２を有する。これに対する代替形態として、基本的にプレートの形状を有するマガジンは、平面状の前面２２上に、剛毛キャリア１０を受け入れるためのキャビティの一部分を形成するための、底部２０２を有する凹部２００を有し、これはまた、図１４に示すように平面状であってもよい。
【０１８３】
マガジンが複数のステーションを通過し、続いて追加のブラシを製造するために使用されると、装置内にマガジン循環動作が提供され、複数の同一のマガジン２０が規則的な間隔をおいて単一のステーションを順次に通過する。したがって、マガジン２０は、装置を通る剛毛束２４のための移送手段である。これに対する代替形態として、マガジンは静止していてもよく、単一のステーションが、例えば回転コンベア上のようにマガジンの周りを規則的な間隔をおいて通過する。複数の静止したマガジン、より正確には、マガジンに配置された剛毛束が、同時に処理されてもよい。
【０１８４】
マガジン２０は、穴設計を有する複数の受け入れ開口２６を有し、穴設計は、剛毛キャリア１０の穴設計に対応する。
【０１８５】
各剛毛束２４は、以下に説明するように、例えばピンを使用して、図１ａに示すように、剛毛リザーバからマガジン２０に１本ずつ挿入されるいくつかの剛毛を備える。単一の剛毛束２４は、加圧空気または真空を充填したパイプを介して供給することができる。
【０１８６】
剛毛は、熱可塑性材料、特にＰＡ、ＰＢＴ、ポリエステル、コポリエステルまたはポリプロピレンから作成されているが、エラストマーから作成されていてもよい。さらに、例えばエラストマーコーティングを有するＰＡのコアを含む共押出剛毛を挿入することも可能である。後に図１１および図１２を参照して説明するように、剛毛束２４のみを固定開口に挿入して埋め込むことも必須ではないが、例えばエラストマー洗浄要素として適合された単一の予め造形された剛毛も挿入され、上記および以下に記載される方法に従って、その固定開口に固定されてもよい。そのような洗浄要素は、別個のプロセスで射出成形または発泡され、剛毛キャリア１０よりも軟質である。
【０１８７】
剛毛束２４は、対向する端部を含み、マガジン２０からわずかに出ている、それらの裏側端部２８、いわゆる締結端部によって突出している、すなわち、それらは前面２２からわずかに突出している。これを図１ｂに示す。
【０１８８】
剛毛束２４が完全に装填されたマガジン２０は、図１ｃに示すように、融解ステーション１６内で横方向に移送される。上記ステーション内には、例えばプレート加熱または熱風加熱であってもよい加熱装置３０が存在する。剛毛束２４の裏側端部２８は接触しないように加熱され、それによって、単一の剛毛がその融点を超え、束の剛毛が互いに融着して肥厚締結端部になる。このように、剛毛束２４の剛毛は一体的に互いに接続される。剛毛束２４の肥厚部３２は、隣接する剛毛束２４の隣接する肥厚部に融合せず、球形またはレンズ形状の肥厚部のままである。加えて、好ましくは、パンチが、融着された剛毛端部の肥厚部または依然として液体の材料に対して押し付けられることはない。
【０１８９】
同じ剛毛キャリア１０内で、複数の剛毛束２４を固定することができ、少なくとも１つの剛毛束２４は、少なくとも１つの他の剛毛束２４の剛毛とは異なる融点温度を有する別の材料から作成される剛毛からなる。異なる剛毛材料からなる剛毛束２４は、束の剛毛を融着させて、肥厚した締結端部を形成するために、異なる程度に加熱される。これは複数の異なる方法で実現することができる：加熱装置３０に面した剛毛束２４の端部と加熱装置３０との間の距離は、剛毛材料に応じて異なるように設定され、および／または、加熱装置３０は、剛毛材料に応じて異なる温度に加熱され、および／または、関連する剛毛材料に一致する、異なる温度に加熱される異なる加熱装置３０が使用される。
【０１９０】
例えば、剛毛束は、剛毛材料に応じて、異なる高さでマガジン２０から押し出される。より容易に融解する材料から作成されるこれらの剛毛束２４は、例えば、他の剛毛束よりもマガジン２０に近いままであり、それによって、より外方に突出される剛毛束２４は、より加熱装置に近づき、したがって、より強く加熱される。
【０１９１】
代替的に、剛毛束２４はまた、加熱装置３０に近づくために、異なる剛毛材料を含む剛毛束２４を次々とマガジンの締結端部で押し出すことによって、次々に処理されてもよい。次いで、加熱装置３０は、２つの適切な異なる温度に加熱されるか、または、異なる温度に加熱される加熱装置３０が、それぞれ関連する剛毛束に使用され得る。
【０１９２】
単一の剛毛束または剛毛束のグループから押し出すことは、例えば、その部分が剛毛の長さ方向に互いに独立して可動な、分割されたベースプレート４４（図５参照）を使用することによって行われる。
【０１９３】
例えば、ナイロンおよびＰＢＴからなる剛毛を含むブラシの場合、まずナイロン製の剛毛を加熱し、次にＰＢＴ製の剛毛を加熱する。
【０１９４】
随意選択的に、肥厚部３２は、融解ステーション１６内で、または後続の固定ステーション１８への途上で、または固定ステーション１８自体の中で、すでに能動的に冷却されていてもよい。これは、例えば、ファン（図１ｄ参照）によって供給される冷気２１４の流れによって、または、裏側に依然として軟化されている肥厚部３２を含む、マガジン２０が通過するコールドチャンバとしてステーション１ｄが提供されるように実行される。サイクル時間は、肥厚部３２の冷却のために増加してもよい。
【０１９５】
マガジン２０は、剛毛束２４を次の固定ステーション１８に送る。上記固定ステーションは、排他的に剛毛束２４がアンカーを使用することなく、剛毛キャリア１０の固定開口１２内に固定されることを確実にする。
【０１９６】
固定ステーション１８は、少なくとも１つのホルダ３４（好ましくは複数のホルダ３４）を備え、ホルダは、前面２２（図２参照）とは反対側の前面３６に凹部３８（複数の剛毛キャリア１０が受け入れられる必要がある場合には複数の凹部）を有し、凹部は、剛毛キャリア１０の対応する形状に対して相補的に形成され、それによって、表面領域に沿ってその裏側がホルダ３４に当接する（図１４も参照）。
【０１９７】
ホルダ３４は、例えば図１４に示されているように、剛毛キャリア１０の前側の領域に対して相補的であるように形成されている、マガジン２０内の窪み２００内に突出するために、図２に示すように、剛毛キャリア１０がわずかだけそこから突出している平面状の前面３６を有する。
【０１９８】
マガジン２０は、例えば、固定ステーション１８内でマガジン２０へと横方向に動かされ、マガジン２０が金属製であるときに、マガジンを非常に迅速に加熱することが可能である、外部からもたらされるプレート加熱機構によって加熱可能である。
【０１９９】
これに対する代替形態として、マガジン２０は、加熱機構、特に図２および図１４に示される電気抵抗加熱機構３９を有して構成されている。加熱機構の巻線は記号で示されており、それらは前面２２の近くに、または前面２２の一部を形成する窪み２００の底部２０２の隣の窪み２００の近くに配置される。
【０２００】
電気接続接点４１、例えばマガジン２０の側面上のワイパ接点は、加熱機構３９を作動させるために、マガジン２０の移動中にマガジン２０を固定ステーション１８内に電気的に結合することを可能にする。無論、窪み２００の底部２０２を含む前面２２が単独で電気抵抗加熱層を形成し、それによって、ここで前面を直接加熱することも考えられる。
【０２０１】
マガジン２０が静止している場合、加熱機構への電気接続は非常に簡単な方法で実現することができ、永続的な接続として構成することができる。
【０２０２】
加熱機構３９は、好ましくは、剛毛キャリア１０と接触する前面２２全体が加熱されること、すなわち、肥厚部３２の間の部分も確実に加熱することを確実にする。
【０２０３】
前面２２（剛毛キャリア１０との接触領域内）が加熱される温度は、剛毛材料および／または剛毛キャリア材料の融点温度未満、好ましくは両方の材料の融点温度未満である。特に、これは、これらの材料のそれぞれの融点温度の℃単位で計算される最大８５％である。例えば、両方の材料が１００℃の融点温度を有する場合、前面２２上の最終的に加熱されたマガジン２０の温度は最大８５℃である。
【０２０４】
図３は、マガジン２０および剛毛キャリア１０が互いに向かって移動する前の、図１ｅの固定ステーション１８を通る断面図を示す。
【０２０５】
肥厚部３２の寸法は、長手方向Ａ（軸線方向または給送方向とも呼ばれる）から見て、固定開口１２のそれぞれの断面よりも小さく、したがって、固定開口１２の内縁部４０に当接することなく、または、縁部４０に接触することなく、固定開口１２内に挿入することができる。特に、この時点において、円筒状固定開口１２は、肥厚部３２（締結端部）の最大断面と比較して最大０．２ｍｍ、特に最大０．１５ｍｍの余剰寸法しか有していない。
【０２０６】
所望の温度まで永続的に、すなわち動作全体の間に加熱されるマガジン２０および／またはホルダ３４は互いに相対的に移動され、本事例においては、剛毛キャリア１０を備えたホルダ３４のみが移動され、それによって、前面２２が剛毛キャリア１０の対向する平面状の前面および前側４２に接触する前に、肥厚部３２が最初に固定開口１２に到達する。給送運動の間に、給送運動が非常に速く行われ、図３に示されている固定ステーション１８の開位置における滞留時間がないため、剛毛キャリア１０は、剛毛キャリア１０がマガジン２０に接触しない限り、ほぼまったく加熱されない。
【０２０７】
すべての剛毛束２４が前側にあり、その前面自由端が支持体を形成するベースプレート４４（図３参照）は、剛毛束２４の前端を互いに位置整合させ、同時に、必要に応じて、肥厚部３２と前面２２との間に間隙を生じさせるように適合されてもよい。ベースプレート４４は、単一の剛毛および剛毛束２４のための支持体として適合されている。
【０２０８】
図４に示すように、前面２２は、剛毛キャリア１０の前側４２に接触し、したがって、剛毛キャリア１０を、両方の部品の間の接触領域全体上で加熱する。
【０２０９】
剛毛キャリア１０は、ポリプロピレン、ＡＢＳ、ＰＡ、ＰＢＴ、ＰＥＴまたはＰＣのような熱可塑性材料、特に上述の樹脂の材料から作成される。
【０２１０】
しかしながら、ホルダ３４およびマガジン２０によって剛毛キャリア１０に非常に高い圧力が加えられるため、ホルダ３４の移動は図４に示す第１の接触の位置に残らない。
【０２１１】
例えば、互いに向かって移動する間に、少なくとも２００バール、好ましくは少なくとも４００バールの圧力が剛毛キャリア１０に加えられる。この圧力はすでに剛毛キャリア１０およびマガジン２０による最初の接触で加えられており、印加時間（接触時間）にわたって同じままである。
【０２１２】
この圧力は、剛毛キャリア１０が少なくとも４秒、特に少なくとも５秒、最大１５秒、特に最大１０秒の印加時間にわたって同時に加熱されている間、維持される。
【０２１３】
印加時間は、滞留時間、および、前側４２がマガジン２０によって接触され、剛毛キャリア１０の裏側が、同時にホルダ３４によって接触されるときに開始する、給送運動中の期間（いわゆる圧縮時間）からなる。圧縮時間は、ホルダと工具部分が最大限に互いに向かって移動している位置に達すると終了し、滞留時間の間、ホルダと工具部分との距離は一定に保たれる。滞留時間は、給送運動が完了した、すなわち装置が完全に閉じられ、剛毛キャリア１０が閉鎖キャビティ内に受け入れられている期間である。上記滞留時間は、好ましくは少なくとも１秒、好ましくは少なくとも１．５秒および／または最大３秒、特に最大２．５秒である。
【０２１４】
圧縮時間中、ホルダの工具部分までの距離は、非常に遅い一定の速度で減少する。例えば、０．３ｍｍの全圧縮行程が最速で３秒で通過される。
【０２１５】
印加時間の間、マガジン２０は好ましくは加熱され続け、マガジン２０の大きな質量に起因して、動作温度までの最初の加熱後にさらなる加熱を停止することも可能である。それにもかかわらず、印加時間の間、剛毛キャリア１０は加熱され続ける。
【０２１６】
装置は、特に停止まで移動される。すなわち、ホルダ３４は、凹部３８および窪み２００によって形成されるキャビティの外側で前面３６（図１４参照）が窪み２００の外側の前面２２の部分に接触する。上記接触領域には、キャビティから材料が浸透することができる間隙が設けられておらず、キャビティは環状の周接触領域によってシールされている。
【０２１７】
さらに、好ましくは、一般に、図示の実施形態に限定されず、ホルダ３４とマガジン２０との間の接触領域には加熱が行われず、それによって、加熱は前側４２とマガジン２０との間の接触領域のみにおいて存在し、有効である。
【０２１８】
前面３６によって画定されるホルダ３４と工具部分（ここではマガジン２０）との間の分割面は、好ましくは、剛毛キャリア１０の裏側よりも前側４２に近接して配置される。より正確には、分割面は、前側４２と裏側とを接続する側面２１２の間の丸みのある移行部にほぼまたは直接隣接している。
【０２１９】
ベースプレート４４として適合された支持体が少なくとも圧力の印加の最後の段階、すなわち印加時間の終了時に除去され、剛毛にそれ以上接触しないことが有利である。これにより、剛毛の、互いに向けてと、剛毛キャリア１０に対しての両方の位置整合の精度が向上する。しかしながら、好ましくは、図３〜図５に矢印Ｙとしての記号で示すように、滞留時間の開始前またはさらには印加時間の前に、ベースプレート４４はすでに取り外されている。例えば、図１によれば、ベースプレート４４は、必要に応じてステーションｃ）およびｄ）にのみ挿入される。
【０２２０】
印加時間全体の間に剛毛束および単一の剛毛の軸方向位置を画定することもできるようにするために、受け入れ開口２６の断面およびそれに挿入される剛毛束２４の断面が、剛毛束２４が受け入れ開口２６内に締結され、したがって、軸方向に固定されるように位置決めされるように、位置整合される。自重に起因して、またはステーション内およびステーション間の移動中の慣性にもよって、剛毛束２４は変位しない。
【０２２１】
図示された例では、少なくとも、剛毛キャリア１０の前側４２上にマガジン２０との接触が存在する場所において、平坦な前面全体が加熱される。マガジン２０が窪み２００を有する場合、窪み２００の底部２０２の領域にのみ加熱機構が配置されることが十分かつ有利である。しかしながら、マガジン２０は通常鋼製であるため、マガジン２０全体が加熱される。しかしながら、設定される温度は、剛毛キャリア１０の前側４２を所望の温度に加熱するように構成される。
【０２２２】
剛毛キャリアが印加時間中に前側４２の領域において加熱される温度は、剛毛および／または剛毛キャリア材料の融点温度未満、特に℃単位で計算される融点温度の８５％以下である。したがって、温度は、前面２２または底部２０２の領域におけるマガジン２０の上述した最大動作温度に等しい。
【０２２３】
これに対する代替形態として、固定開口１２の少なくとも縁部５０を、前側４２の口に隣接する固定開口１２の壁の領域を形成する前側４２の領域で加熱することができる。
【０２２４】
剛毛キャリア１０が、少なくとも縁部５０の領域で、好ましくはマガジンとの接触領域全体で加熱される温度は、材料の融点温度よりもわずかに低いかまたは著しく低くなければならないだけでなく、剛毛キャリア材料のガラス転移温度の範囲である。極端に高い圧力、例えば６００バールを超える場合には、前側４２の領域において、少なくとも縁部５０の領域において、剛毛キャリア１０を、剛毛キャリア材料のガラス転移温度が３００°Ｋ以上である場合に、剛毛キャリア材料のガラス転移温度の℃単位における６０％、特に８０％である閾値温度を上回る温度にだけ加熱することが可能である。しかしながら、この閾値温度は、ガラス転移温度に等しいか、わずかだけ上回ることが好ましい。３００°Ｋより低いガラス転移温度を有する剛毛キャリア材料の場合、加熱温度は、°Ｋ単位で計算して、ガラス転移温度より最大５０％上回る。
【０２２５】
さらなる変形形態によれば、少なくとも前側４２の縁部５０、特に前側４２の領域における剛毛キャリア１０の接触面全体の加熱は、特に固定開口１２内の縁部４０がマガジン２０によって周囲温度を上回って加熱される前に、周囲温度を少なくとも３０℃上回る以上の温度に加熱される。
【０２２６】
図示されているように、マガジン２０は、前側４２の領域に平面状の前面２２または平面状の底部２０２を有するため、固定開口１２へと突出する突出部などを有しない。
【０２２７】
前側４２も平面状であり、固定開口１２の口の領域、すなわち縁部５０の領域にカラーなどが存在しないため、従来技術の場合のように、剛毛キャリア材料の領域全体が、圧力および温度の印加中に前側４２の領域において再成形される。材料は流出する傾向があり、したがって、口の領域において固定開口１２に入り、それらを狭める。
【０２２８】
熱および圧力を加えることにより、総厚Ｄ、したがって固定開口１２の口の領域における前側４２までの剛毛キャリア１０の最大厚さが永続的に減少する。一種の収縮部が形成され、これは、後方から引き抜き方向において肥厚した締結端部と係合して、剛毛束２４を固定する。
【０２２９】
肥厚した締結端部と固定開口１２の壁との間には接着が形成されない。
【０２３０】
縁部を極端に再成形する必要はない。例えば、歯ブラシの場合、縁部２１８（図５Ａ参照）の領域の元の幅または元の断面Ｄ３を有する固定開口１２の断面を、肥厚部３２の最も厚い点（それぞれの断面平面に対して）の幅または直径Ｄ２の、縁部２１８の領域における幅または直径Ｄ１に対する差が約０．１〜０．５ｍｍに過ぎないように、幅または直径Ｄ１まで低減することで十分であることが分かっている。
【０２３１】
肥厚部３２が、挿入中にまだ再成形されていない固定開口１２に関して小さい（すなわち、Ｄ２がＤ３より小さい）ことが望ましい。
【０２３２】
しかしながら、これは必須ではない。例えば、固定開口１２に向かう肥厚部３２の最小の側方オフセットが存在し得るが、肥厚部３２は小さく、その最も厚い点における肥厚部と、固定開口１２の内側との間には周方向間隙が存在すべきである。オフセットに起因して、肥厚部は、固定開口に挿入されている間、側面で固定開口１２の壁と接触し得る。これに関連して、肥厚部３２が固定開口に挿入されるときに、肥厚部の材料が内部でまだ完全に凝固していないことが有利であり得る。肥厚部がまだ比較的薄く冷却されたフィルムを形成し、依然として内部が非常に柔らかい場合、肥厚部を含むフィルムは、肥厚部自体を損傷することなく、単に内側に偏向される。この肥厚部は、後ろから再成形された縁部によって円周方向に係合されるのに依然として適している。
【０２３３】
この概念により、完全に固化されていない状態の肥厚部３２を固定開口１２に挿入するために、一般に、固定開口１２の断面と比較して過大に形成された肥厚部３２を使用することも可能である。すなわち、Ｄ２はＤ３以上である。
【０２３４】
図５Ａでは、固定開口１２によって形成され、肥厚部３２を収容するための収縮縁部２１８によって外側に限定された空間が、肥厚部３２が直径Ｄ１に関して誇張されて示されているのと同様に、誇張されて示されている。
【０２３５】
しかし、実際には、固定開口１２を形成する壁全体が、肥厚部３２、または、肥厚部３２の外側に位置し、肥厚部３２から延伸する剛毛に当接するわけではない。その代わりに、壁は、縁部２１８の領域内で、および、直接隣接する部分２２０内でのみ再成形され、これは、外側に向かって底部２０８へと外側に向かって広がり、これらの部分内でのみ、剛毛または肥厚部３２に当接し、圧力を加える。
【０２３６】
しかしながら、肥厚部は、剛毛束の軸方向位置を正確に画定するために、底部２０８と接触すべきである。
【０２３７】
その領域の残りの部分、例えば底部２０８と肥厚部３２との間、または、底部２０８に隣接する壁の周縁の領域において、壁と肥厚部３２の外側との間に１つまたは複数の通気間隙２２２があり、それによって、それらはこの領域では圧縮、締結、および／または再成形されない。
【０２３８】
縁部２１８の領域では、マガジン２０内の状態と比較して、剛毛束２４の肥厚部は、縁部２８４を少なくとも３％、特に少なくとも５％収縮および狭窄することによって行われる。これにより、マガジン内の受け入れ開口の断面積が、縁部２１８の最も狭い点で、縁部２１８の断面積と比較される。
【０２３９】
すべての固定開口１２は、図示の装置およびそれぞれの方法によって同時に閉じられ、したがって、すべての剛毛束２４は、同時に剛毛キャリア１０内に固定される。
【０２４０】
さらに図４および図５Ａに見られるように、固定開口全体が再成形されるわけではなく、固定開口１２の全深さＴの８５％、特に７０％に等しい一定の深さｔまでのみ再成形され、かつ／または０．５〜１．３ｍｍ、特に０．６〜０．９ｍｍの軸方向伸長を有する。
【０２４１】
肥厚部３２自体は、好ましくは、その実際の全長の最大５０％を超えて軸方向にのみ固定開口に締結される。残りの締結は、肥厚部３２から延伸する剛毛の領域で行われる。
【０２４２】
固定開口１２の壁は、底部２０８から始まって少なくとも０．８ｍｍの深さＺ（図５Ａ参照）にわたって再成形されず、かつ／または、肥厚部３２およびまたこの領域内の剛毛を締結しない。
【０２４３】
ブラシを製造した後の固定開口の深さＴは、最大４ｍｍ、特に最大２．７ｍｍである。
【０２４４】
すべての固定開口１２は止まり穴であり、それによって、剛毛束の部分が見えず、またはこの側から突出していないため、剛毛キャリア１０は裏側で覆われる必要はない。
【０２４５】
このようにして生成された固定は、剛毛キャリアのための唯一の固定であり、金属アンカーまたは金属ワイヤは必要とされない。
【０２４６】
一般に、剛毛キャリア１０がその融点温度に近い温度に加熱されるべきではなく、ガラス転移温度に近い温度まで著しく低い温度へと加熱されるべきであるという、示された実施形態に限定されないことに留意されたい。特に、加熱温度、ひいてはまた前面２２および剛毛キャリア１０の領域におけるマガジン２０上の温度は、剛毛キャリア材料のガラス転移温度および／またはその前面における剛毛材料のガラス転移温度よりも１５％高くなるべきではない。
【０２４７】
ＰＥＴを使用する場合、本発明の好ましい変形形態によれば、前側４２は、再成形中に、７５〜９５℃、特に８０〜９０℃の温度まで、ＰＰの場合、１０５〜１２５℃、特に１１０〜１２０℃の温度まで加熱される。ＰＰは、特に、初期状態で６〜３５、好ましくは１０〜１５のメルトフローインデックス（ＭＦＩ）を有するように選択される。
【０２４８】
本発明の一実施形態によれば、前面２２、ひいては剛毛キャリア１０は、最大１４０℃、特に最大１３０℃の温度に加熱され、好ましくは１００〜１１５℃の範囲の温度に加熱される。ここで特に、剛毛キャリアの材料として、ポリプロピレン、ＰＥＴ、ＡＢＳ、コポリエステルおよびＳＡＮが使用される。
【０２４９】
剛毛キャリア１０の裏側２０６、および、裏側２０６から少なくとも固定開口１２の底部２０８まで（好ましくはさらに前側４２に向かって）延伸する領域は、再成形されるべきではない。加えられる圧力に起因して再成形がそれを上回って実行される温度限界を、剛毛キャリア１０の前側４２に可能な限り近づけるために、ホルダ３４に能動冷却を提供することができる。
【０２５０】
図３および図１４において、この冷却は、冷却液が流れる冷却チャネル２１０によって象徴される。冷却チャネル２１０は冷却水回路に接続され、冷却水回路は、好ましくは２０℃未満、特にさらには１０℃未満の冷水を、ホルダ３４を通じて圧送する。したがって、圧力の印加中、裏側２０６は最大２５℃まで加熱される。また、剛毛キャリア１０の前側４２および裏側２０６（図１４参照）を接続する側面２１２は、再成形をふせぎ、成形および変形が起こり得るそれぞれの温度未満に維持されるように、ホルダ３４内で十分に冷却され得る。
【０２５１】
所定の印加時間の後、ホルダ３４およびマガジン２０は再び互いに離間され、それによって、剛毛束２４はその受け入れ開口２６から引き出される。剛毛キャリア１０のための別の成形による後処理は必要ではない。
【０２５２】
離間移動は、好ましくは１つのステップでは行われず、離間する過程には休止期間が組み込まれる。ここで、工具部分、すなわちマガジン２０およびホルダ３４は、互いに最小限の程度だけ離間して移動され、それによって、前側４２と、工具部分、すなわちマガジン２０の上側との間には０．５ｍｍ以上の小さな通気間隙２２８（図５Ａ参照）が生成される。この所定の通気間隙２２８がその高さに達するとき、距離は、少なくとも１秒、特に少なくとも１．５秒に相当する休止期間の間、好ましくは一定に保たれる。
【０２５３】
随意選択的に、この休止期間において、冷却空気がまた、通気間隙２２８を介して剛毛キャリア１０の前側に吹き付けられ、前側を冷却することができる。
【０２５４】
しかしながら、上記休止期間の間、剛毛は、図５Ａに示すように、受け入れ開口２６内に残る。休止期間において、固定開口の再成形された領域は安定化され、それによって、剛毛束の剛毛は互いに平行に延伸し、均一に位置整合される。
【０２５５】
休止期間の後、装置は離間して移動され、それによって、完成した剛毛キャリアを除去することができる。
【０２５６】
それぞれの動きおよび温度を正確に制御するために、装置は、それによって加熱温度だけでなく、加えられる圧力および運動の流れも制御されるコントローラ５１を備える。加えて、加熱機構３０が、同じコントローラ５１によって制御されてもよい。
【０２５７】
剛毛キャリア材料が、クラス遷移温度が周囲温度を超えない何らかの種類のポリプロピレンのような材料である場合、剛毛キャリアを加熱する必要はないが、これは必須ではない。ここでもまた、ガラス転移温度を概ね上回る最小限の加熱が有利であり得るが、やはりまた融点温度よりもかなり低い。このような剛毛キャリア材料を加熱する必要がない場合、または、そのような剛毛キャリア材料の加熱が行われない場合には、上述した印加時間中に上記の圧力を加えることによって固定開口１２が排他的に閉じられる。ここでは、マガジン２０を加熱せずに使用することもでき、または、加熱機構が単純に作動されない加熱機構を有するマガジンを使用することも可能である。
【０２５８】
剛毛キャリア材料に関係なく、以下が適用される。マガジン２０のホルダ３４に対する、ひいては剛毛キャリア１０に対する給送運動中（部品の相対移動は、これらの部品の一方または両方が他方の部品に向かって移動され得ることを示す）、圧力および時間を制御された給送運動および／または圧力および経路を制御された給送運動が有利であり得る。
【０２５９】
特に、給送運動の第１の段階において、縁部５０または前側４２全体が閾値温度を超える温度に加熱されることが有利である。剛毛キャリア材料が３００°Ｋを超えるガラス転移温度を有する場合には、上記閾値温度は、℃単位で計算される剛毛キャリア材料のガラス転移温度より６０％、特に８０％低い。しかしながら、好ましくは、閾値温度は、℃単位でガラス転移温度を最大２０％上回るガラス転移温度に対応する。給送運動の次の第２の段階では、その後、縁部５０が再成形され、縁部５０が剛毛に押し付けられる。
【０２６０】
これに代えて、剛毛キャリアがその前側および裏側で接触され、したがって、軸方向において圧縮され、マガジン２０およびホルダ３４が停止するまでともに移動するとき、一定の低速度で給送運動が行われる。
【０２６１】
さらに、図５に示される実施形態についても、材料は、閉じた状態で縁部５０の領域の剛毛を押圧し、それによって、剛毛と縁部５０との間に間隙は設けられない。
【０２６２】
マガジン２０の装填は、図１ａに示すように剛毛単離装置を介して直接的に、または図６に示す別の変形形態によって行うことができる。ここでは、まず、複数の受け入れ開口を有するカートリッジ６０が剛毛束で充填される。このカートリッジを使用することによって、単一の剛毛束は、例えば、可動ピン６２によってマガジン２０に直接的に押し込まれるまで格納される。
【０２６３】
代替的に、カートリッジ６０とマガジン２０との間に偏向板６４を設けてもよく、この偏向板６４は、それを通じて動かされる剛毛束２４のための傾斜した移送開口６６を有している。例えば剛毛が異なる厚さの剛毛束を含むことになる場合には、図６の左側に示すように、複数の剛毛束２４を収束する移送開口６６によってより大きな剛毛束に組み合わせることも可能である。無論、剛毛束が前側４２に対して垂直に延伸せず、それゆえ、円柱状だが、これに対して傾斜して配置されているブラシがあるとき、マガジンはまた、傾斜した受け入れ開口２６を含んでもよい。ただし、ここで、固定は、図示されている固定に相当する。代替的に、ここでは、このような傾斜した剛毛束２４のための固定開口１２は、わずかに傾斜して、または円錐形に、または、図７に示されているように、それに対して傾斜した剛毛束２４の側の領域においてのみ円錐形に具現化されてもよい。それは、受け入れ開口２６が異なる角度で傾斜させられた縁部を有し得ることを意味する。
【０２６４】
図７の実施形態によると、傾斜して、特に傾斜受け入れ開口２６に対して平行に広がる固定開口１２の縁部８０が提供され、縁部８１はそこ（縁部８０）と反対に配置される。図示された実施形態において、縁部８１は、剛毛キャリア１０の前側に垂直に広がる。しかしながら、代替として、縁部８１もまた、傾斜して、最終的には、破線で示されるように、縁部８０とは異なる傾斜で広がり得る。
【０２６５】
図８には、工具部分の反対側の前側４２に対して傾斜して延伸する縁部分８０をその内側に含む固定開口が示されている。前面縁部５０上の工具部分による剛毛キャリアの衝突前に、剛毛キャリアは、傾斜縁部分８０の領域において、又は、該領域とは反対の縁部分８１に、前側４２から工具部分に向かって、平坦な前側４２を有する部分から離間して突出する突出部８２を有する。突出部８２は、再形成の間、固定開口１２の開口を閉じる材料を提供し、傾斜して配置された固定開口１２における剛毛束２４を保持するために役立つ。さらに、この実施形態においてもまた、縁部８１は当然、剛毛キャリア１０の前側に垂直に広がるだけでなく、また破線を使って示されるように、傾斜して広がる。
【０２６６】
図１６において、様々な形状の固定開口１２を含む剛毛キャリアが示される。円柱状の固定開口１２’に加えて、細長いアーク形状の固定開口１２’と細長い真っ直ぐな固定開口１２”もある。突出部８２は、各固定開口１２’又は１２”の全縁部周りに広がらず、縁部の部分セクションにわたってのみに広がる。
【０２６７】
アーク形状の固定開口１２’に関して、突出部は内側アークセクションにのみ配置される。外側アークセクションには突出部は設けられていない。
【０２６８】
細長い真っ直ぐな固定開口１２”に関して、突出部８２は縦方向側の片側又は両側にのみ形成されるが、短い横方向側には形成されない。
【０２６９】
例えば、図１６は、固定開口１２’が固定開口１２に相当近接して配置されていることを示す。固定開口１２’のアーク形状の内側の縦方向側は、固定開口１２の周りに部分的に広がる。この領域において、２つの固定開口１２、１２’の間の壁の厚さは、０．５ｍｍ以下である。固定開口の壁の厚さが最大０．５ｍｍの領域はいずれにおいても、付加材料を提供するために、突出部８２が設けられる。
【０２７０】
縦方向の固定開口１２’、１２”がアーク形状であろうが真っ直ぐであろうが、縦方向の固定開口１２’、１２”で、実施において実際に検知され、分析された付加的効果が補充されなければならない。これは、細長く、長方形の断面を有する剛毛束を用いて以下に記載される。剛毛束の端部の融解の間、融解材料によって一種のプレートが生成され、それは、剛毛に対して垂直に突出する。しかしながら、縦方向側の領域において、前記プレートは、短い横方向側の領域よりもさらに広く垂直に突出する。言い換えると、縦方向側の領域において、プレートは、外側に少しだけたわむ。これにより、縦方向側の領域において剛毛キャリアの再形成の間、剛毛キャリアの材料は、剛毛と接触するため、横方向側に比べてさらに内側にプレスされなければならない。結果として、剛毛キャリアの縦方向側の領域において十分な材料がなくなり得る。これは、縦方向側の少なくとも１つの部分的突出部によって補われる。例えばこれは、アーク形状の突出部８２が固定開口１２と固定開口１２’との間の壁の最も薄い部分の領域においてのみ広がるのではなく、壁の前記最も薄い部分を超えてさらに縦方向に広がるように、図１６に示される。
【０２７１】
１つ以上の剛毛又は剛毛束が剛毛キャリアの外側周囲１９０に相当近接して広がり、ここで、壁の厚さも０．５ｍｍ以下である場合、１つ以上の突出部８２もまたここで提供される。例えば、図１６における固定開口１２”の突出部８２と反対に、破線によって示される縦方向の突出部もまたある。
【０２７２】
細長い突出部として適用される突出部８２の代わりに、並んで配置される多数のより短い突出部もまた、前記図示された、固定開口１２’と固定開口１２”の突出部８２と置きかえてもよいことに留意されたい。固定開口１２”の突出部に関して、これは、図１６において、並んで配置された２つの突出部８２を示す破線によって示されている。
【０２７３】
図示された固定開口１２、１２’、１２”において、固定開口１２’、１２”を規定する内側における縁部４０は、平坦な前側４２に完全に垂直に広がる、つまり、閉じられた円柱表面を規定する。
【０２７４】
剛毛束は固定開口１２、１２’、１２”において、前側４２に垂直に差し込まれる、つまり、受け入れ開口２６は、図７に示すように、傾斜して広がらず、前側４２と工具部２０の接触表面（マガジン）に垂直に広がる。
【０２７５】
突出部８２は前側４２の前面縁部の領域において広がる。ここで、「縁部の領域において」という用語は、通常、本実施形態に関わらず、固定開口と突出部８２の開始部との間に最小の溝があり得ることを示す。
【０２７６】
図１６に係る実施形態において、１つの突出部８２又は複数の突出部８２の領域において、固定開口１２’又は固定開口１２”は、それらの内側に傾斜を有せず、つまり、突出部８２は、固定開口１２’、１２”の内側の縁部に配置され、該固定開口は、剛毛キャリアの形の崩れていない状態に関して、前側４２に垂直に配置されている。言い換えると、突出部８２は、剛毛キャリア１０の内側に広がる、固定開口１２’、１２”の縁部４０の一部に配置され、それは、工具部２０による剛毛キャリア１０の衝突前に前側４２に垂直又は基本的には垂直に広がる。
【０２７７】
一体に動く間、工具部２０は、剛毛キャリア１０の突出部８２に接触し、それを加熱する。そのように利用可能な付加材料により、それはまた、口端部における固定開口１２の内側へ垂直にプレスされ、図１７ａに示すように、片側にそれを圧縮する。従って、少なくとも直接隣接する剛毛又は全剛毛束２４が傾斜して配置され（図１７ｂ参照）、固定開口１２’、１２”において、傾斜して固定され続ける。
【０２７８】
固定開口の口端部をさらに圧縮するために、高温工具部２０のさらなる加熱の間、剛毛キャリア１０の平らな部分の材料は内側にプレスされる（図１７ｃ参照）。径方向に対称でない、厚い角度のあるビードが生成され、それによって、肥厚部分３２が後方から噛み合わされ、固定される。
【０２７９】
図１７ｂと図１７ｃにおいて、受け入れ開口２６は依然、剛毛束２４の左側の剛毛の傾斜した始まりをやや妨げ続けており、該剛毛は、突出部８２の材料によって右側にプレスされる。工具部を取り除いた後（図１７ｄ参照）、剛毛束２４の剛毛は、全て傾斜して右側に配置される、又は、少なくとも左側近くに配置された剛毛をさらに右側に傾斜させ得る。従って、前側４２に向かった方向へ見ると、剛毛は、元々存在する１つ以上の突出部８２から離れて、傾斜して、剛毛キャリア１０から突出する自由端部へ向けて広がる。従って、傾斜位置は、製造コストが高い傾斜した受け入れ開口２６を有する工具部２０なしで、非常に簡易に達成される。
【０２８０】
片側に配置された突出部による前記剛毛束２４の傾斜配向もまた、図１２に示すように、例えば、エラストマーから作られる単一剛毛２４’に対してのみ利用されてもよい。
【０２８１】
図１７に示される工具部２０もまた、先の特徴と後続の特徴と詳細とを装備し、上述の装置と以下にも記載の装置に統合され得る。同様のことは、剛毛キャリア１０の製造にも適用する。
【０２８２】
図１８aと図１８ｂは、突出部８２を用いることによって剛毛束の垂直方向の外側剛毛１９２の最適条件の始点を保証する一例を示す。
【０２８３】
図１８aには、すなわち固定開口の縁部の再形成による上記の方法を用いることによって、剛毛キャリア１０に埋め込まれた剛毛束２４が示される。しかしながら、例えば、やや少なすぎる材料が、一部、ここでは固定開口１２の左部１９４に利用可能である。上記に記載のように、剛毛束２４は、工具部２０を使用することにより、前側４２に垂直に差し込まれ、縁部４２の再形成によって保持されるが、左剛毛１９２は、工具部２０を取り除いた後、前側４２に９０°よりも小さい角度アルファで突出する。これは、最終的に、肥厚固定端部３２への圧力によって引き起こされ得る。
【０２８４】
図１８ｂに係る突出部８２によって利用可能な付加材料により、左側に示された周囲剛毛１９２は、右側の周辺に配置された前記剛毛束の剛毛に関しては通常のことであるが、前側４２に向けて９０°傾斜させられている。この場合、再形成前に、固定開口１２における縁部は、前側４２に完全に垂直である。従って、剛毛束の外側縁部に剛毛を有する剛毛束が生成され、剛毛束の内側剛毛に平行に広がり、外側に突出しない。これは、高品質な剛毛のために特別な品質特徴である。
【０２８５】
図９および図１０の剛毛キャリア１０は、本発明による装置の一部である射出成形ステーションにおいて、射出成形型半部１００、１０２を含む射出成形型内で製造される。上記射出成形ステーションは、上述した剛毛キャリア１０を詰めるために、上述したように時間的／空間的にステーションの前に／上流に予め固定されている。射出成形ステーションは、剛毛キャリア射出成形装置を形成する。上記射出成形型半部１００，１０２は、液体樹脂が射出されて剛毛キャリア１０が製造される、それら（射出成形型半部１００，１０２）の間にキャビティ１０４を形成する。現行の技術水準で使用されている射出成形ステーションにおいて、射出成形型半部１００は、射出成形型半部１００を通ってキャビティ１０４内に突出し、射出成形型を開く前に引き出された、ピン形状のアクティブスライダを設けられており、この変形形態ははるかに単純な解決法を提供する。ここで、１つまたは複数の突出部１０６は、すなわち、キャビティ１０４内に自由に突出する射出成形型半部１００上に固定して取り付けられる。これらの突出部１０６は、その後、固定開口１２を生成する。固定開口１２の深さは、固定技術を用いて詰められている、これまでに製造された剛毛キャリアよりも著しく低い。代替的に、射出成形型半部１００の底部は、例えばインサート１０７の統合部を形成する突出部１０６が位置する可動インサート１０７（図１０の参照）を有することができる。インサート１０７は、固定開口１２を製造するために必要とさる突出部１０６を構成することが望ましい。射出成形後、インサート１０７は、変形が容易になるように射出成形型半部の窪みへと下方に引っ張られ、それによって、射出成形固定開口１２から突出部が引き出され、それによって、その後の剛毛キャリア１０の排出又は除去が容易になる。
【０２８６】
射出成形部１００は、形状１００の下側半分全部を規定する、インサートの領域から離れた第１部１０１を構成する。さらに、射出形成半部１００は、インサート１０７を構成しており、インサート１０７は、第１部１０１においてインサート１０７を捕捉する開口に収容される。インサート１０７は、射出成形半部１００の第１部に関連して剛毛キャリアに向けて、かつ、離れて移動自在に支持される。第１部１０１とインサート１０７との間に、液化樹脂が入り込める溝は設けられない。図１０に示すように、右側の突出部１０６は、傾斜した開口１２を製造するために使用され、図７、図８に示すように、突出部１０６は、インサート１０７の修正方向に対して傾斜して広がる、少なくとも１つの縁部を有する（図１０の両方向矢印参照）。
【０２８７】
インサート１０７は、剛毛ヘッドの全前側領域を規定することが望ましい。インサート１０７によって、固有の剛毛キャリア１０を有する剛毛は容易に製造されるが、異なるホールパターンと剛毛束の異なるパターンを含み得る。
【０２８８】
図９は、剛毛キャリア１０の実施形態のいくつかの変形形態を示す。円形または楕円形の固定開口１２を設けることができるだけでなく、任意の種類の形状を構成することができる。例えば、細長い開口は、Ｘ字形、Ｃ字形の固定開口または任意の形状の固定開口として実現することができる。これらの大きな固定開口には、複数の単一の剛毛束からなる剛毛束が装填され、これらの剛毛束は、その端部を融着させることによって大きな剛毛束に組み合わされる。このような大きな剛毛束は、それぞれの壁のような剛毛構造をもたらす。
【０２８９】
本発明による装置および本発明による方法は、複数の剛毛束と共に使用することができるだけでなく、例えば塗装ブラシを製造するため、および、１つのみまたはいくつかのみの単一の剛毛を剛毛キャリア内に締結するために、１つの剛毛束のみと共に使用することができることに留意されたい。
【０２９０】
したがって、固定開口１２は、一般に必ずしも剛毛束を受け入れして固定する役割を果たすのではなく、任意のエラストマー樹脂で予め造形された単一の剛毛が、剛毛束に関して正確に前述したような任意の形態において受け入れられて固定され得る。これらの剛毛は、プレート状の形状を有することができ、例えば細長い固定開口１２に挿入され得、固定開口１２の縁部を再成形することによってその中に埋め込むことができる。Ｃ形状の断面を有する予備射出成形された洗浄要素は、例えば、単一の剛毛としてＣ字状の固定開口１２に挿入される。無論、多数の剛毛２４’からなる剛毛束２４も剛毛キャリア１０に挿入することができる。単一の剛毛２４’は、例えば、剛毛束２４の領域の中央に位置決めされてもよく、またはその逆に、単一または複数の剛毛束２４を囲んでもよい。
【０２９１】
剛毛束によっても説明されている上述の特徴は、単一の大きな剛毛にも使用され得ることに留意されたい。一例としてのみ、剛毛キャリア１０に対して傾斜して延伸するプレート状の剛毛が言及され、これは、図７および図８の傾斜固定開口１２に挿入され得、その中に固定され得る。しかしながら、単一の剛毛は、図４に従って円筒形の固定開口１２に挿入されるように、細長い残りの部分がそこから斜めに突出する固定端部３２を有してもよく、ここで剛毛は、固定開口の外部に傾斜して延伸する。
【０２９２】
単一の別個に製造された剛毛２４’または複数の剛毛２４’が、好ましくは、剛毛キャリア１０内の固定開口１２のそれぞれの縁部を再成形することによって、剛毛束２４により同時に固定される。これに対する代替形態として、異なる剛毛または剛毛束のために、複数の別個の再成形操作を順次行うことができる。ここではまた、剛毛または剛毛束が異なる材料から作成されているため、必要に応じて、加熱された工具部分（複数可）によって異なる圧力および／または温度が加えられてもよい。
【０２９３】
上記の変形形態に加えて、または代替として、エラストマー洗浄要素１０８が、例えば、剛毛キャリア１０の縁部に射出成形されてもよい。この洗浄要素１０８は予め造形されていないが、また剛毛キャリア１０から前側に突出しており、歯肉をマッサージする役割を果たす。
【０２９４】
ここで、剛毛キャリア１０は、例えば、縁部に穴を有してもよく、または縁部の側部に凹部のみを有してもよく、例えば、凹部の中に洗浄要素１０８が射出成形される。加えて、ブラシにとってますます一般的であるが、剛毛キャリア１０の裏側は、より柔らかい樹脂でオーバーモールドすることができる。
【０２９５】
後者の場合には、洗浄要素１０８が軟質の樹脂から作成される裏側層に一体的に融合することが有利である。図９に示すように、下半分に対する変形形態を示す上半分については、柔らかい樹脂から作成されるこの裏側層もまた、例えば、ダンパとして作用するために、剛毛キャリア１０のより硬い樹脂の周囲に一種のフレームを形成することができる。
【０２９６】
さらなる変形形態は、剛毛キャリア１０、この場合は歯ブラシのヘッドが、剛毛体のネックとより柔らかい樹脂製のヒンジ１１０を用いて結合されることである。
【０２９７】
一般に、剛毛キャリアが、後の剛毛体または剛毛体全体の一部としての小さなプレートであってもよいことは、すべての変形形態に当てはまる。例えば、剛毛キャリアは、その後、剛毛が最後に埋め込まれたときに、完成した剛毛体をすでに形成している多要素射出成形部品であってもよい。これとは逆に、すでに剛毛を剛毛体の一部に埋め込んでおり、これが次いで剛毛キャリアを形成し、後に剛毛を含む上記剛毛キャリアをオーバーモールドすることも可能である。
【０２９８】
それによれば、射出成形ステーションはまた、多要素射出成形ステーションとして具現化されてもよく、または、複数の射出成形ステーションが設けられてもよく、その間に、剛毛が固定されるステーションが配置される。
【０２９９】
任意の種類の断面形状を有し、エラストマー材料から作成される洗浄要素１０８および／または単一の予め造形された剛毛は、好ましくは、少なくとも剛毛束の長さの前方に延伸しているが、それらを超えて突出していてもよく、または剛毛束よりも短くてもよい。
【０３００】
図１１に示すように、上述したように、剛毛束２４が締結端部の肥厚部３２を使用することによって固定開口１２に挿入され、縁部を再成形することによってそこに固定されるだけでなく、単一の予め造形された剛毛２４’（側部から見え、また断面に見えるように、任意の形状）を、上述した方法および上記の装置によって、アンカーを使用することなく、剛毛キャリアに埋め込むことができる。剛毛２４’は、エラストマー材料、特にＴＰＥから射出成形される。
【０３０１】
剛毛キャリア１０から突出しているその部分では、剛毛２４’は、０．６ｍｍより大きく、特に０．９ｍｍより大きい最大壁厚ｄ（断面で測定される）を有する。
【０３０２】
予め造形された剛毛２４’は、肥厚した締結端部３２’をさらに備えることができ、その高さは高さが関連する固定開口１２の深さよりも小さく、それによって、内向きに再成形された縁部が、締結端部３２’と係合して、形状適合の装着を実現する。締結端部３２’は、例えば平らな円筒状であり、その形状は固定開口１２の形状と位置整合される。しかしながら、再成形が行われる前、挿入中に、締結端部３２’と固定開口１２の壁との間に横方向の間隙が存在するように、それぞれの締結端部３２’の外形寸法は、固定開口１２の断面と位置整合される。
【０３０３】
締結端部３２’は、別の材料、特に、剛毛２４’の残りの部分よりも硬質の材料から作成されてもよい。これの一例は、ポリプロピレン製の締結端部３２’である。加えて、剛毛２４’のコアのみがより硬質の材料から作成されてもよく、その後より軟質の材料でオーバーモールドされる。したがって、締結端部３２’全体またはそのコアを形成する、より硬質の材料から作成されるディスクが考えられる。
【０３０４】
同様に、図１２の左側によれば、コアを形成するディスク１１２は、剛毛キャリア１０の外側に位置決めされる剛毛２４’の部分に突出する、一体成形された突出部１１４を有することができる。
【０３０５】
図１２の右側に示された剛毛２４’の変形形態は、硬質樹脂製の締結端部３２と、より軟質の樹脂製の部分１１８とが射出成形されて構成されている。
【０３０６】
図１２に示す単一の剛毛２４はある点まで先細であるが、これに限定されるものと解釈されるべきではない。
【０３０７】
図１５に示すように、剛毛キャリア１０の残りの部分よりも広い剛毛キャリアの裏側に、歯ブラシについて、例えば舌クリーナとして機能するエラストマー部分が射出成形されることが多い。エラストマー２３２は、ノブまたはリブを含むことができる。エラストマー２３２の外面の領域において、ホルダ３４内の凹部３８は、非圧縮状態のエラストマー２３２の形状に対して相補的に構成されている。しかしながら、圧縮状態（装置の閉鎖状態、図１５参照）でエラストマー２３２に許容される容積は、応力を受けていない状態よりも小さい。つまり、エラストマー２３２の割り当てられる高さは、所望の圧力下での圧縮まで減少する。随意選択的に、再成形中に、全対抗圧力さえも、エラストマー２３２を介してホルダ３４から剛毛キャリア１０に伝達され得る。
【０３０８】
前側のエラストマー部品３００がエラストマー２３２とあわせて射出成形され、スルーホールによってエラストマー２３２と接続される場合、又は、図１２に示すようにエラストマー３２’に埋め込まれた場合、この領域にわずかな圧力のみを付加することが利点となり得る。この場合、ホルダは任意ではあるが、図１５において破線３０２によって示されるように、より少ないくぼみを有し、それゆえ、工具が共に動かされたるとき、全圧力が付加されない。エラストマー清掃部品の固定開口周りの前面縁部に付加された圧力が高すぎると、これは部品を再形成し得る。図１３には、複数の異なるステーションを含む装置全体が示されている。本発明による装置は、以下に説明するすべてのステーションを備える必要はないことに留意されたい。
【０３０９】
特に、前の図によって、特に図１によって記載されているすべての変形形態および詳細はまた、例えば、それが冷却、通気などであるかにかかわらず、また、温度、温度範囲または期間および上述した使用される材料にかかわらず、本実施形態では個々にまたは組み合わせて実現することもできる。
【０３１０】
ステーションＡでは、剛毛または剛毛束が単離され、さらなる移送が実行される。左側の図は、いわゆるファイバボックス１２０を示し、そこから機械的または化学的に鋭利化され得る完成した剛毛が、剛毛分離装置によって剛毛の中に引き出される。
【０３１１】
これらの剛毛束２４は、移送装置によってステーションＢに移送され、ここで剛毛束２４は、その後、すでに最終的な束形状および必要に応じて後のブラシの穴設計において移送される。
【０３１２】
例えば、剛毛束２４は、特にプレートの形状を有する第１の中間マガジン１２４に挿入される。中間マガジン１２４によって、剛毛束２４はその後、さらなるプレート１２８内のプッシャ１２６によって押すことができ、そこで、複数の剛毛束２４を共通のより大きい剛毛束に融合し、適切な場合には、剛毛束２４を傾斜して位置整合させるための再成形もしくは方向転換開口１３０、または、開口１３２が設けられている。
【０３１３】
次いで、剛毛束２４がマガジン２０内により深く押し込まれる。好ましくは、マガジン２０において、後のブラシの穴形状が実現されるが、これは後で説明するように必須ではない。
【０３１４】
しかし、必要であれば、プレート１２８および／または中間マガジン１２４を省略することもでき、それによって、剛毛束２４がマガジン２０内に直接移送される。これは、束の所望の最終位置、または束形状および最終的なブラシの穴設計に完全に依存する。
【０３１５】
分離後の剛毛束２４の移送は、図２に示すスライダまたはプッシャ１２６を使用して、第１の中間マガジン１２４および／またはステーションＢのマガジン２０へと機械的に行うことができる。さらなる代替形態として、左側から２番目の画像には、ステーションＡ内で、分離された剛毛束が、過圧または負圧が加えられるパイプまたはチューブ１３４によって中間マガジン１２４またはマガジン２０に移送されることが示されている。
【０３１６】
剛毛束に使用される移送手段とは無関係に、それらはマガジン２０に１つずつ順次、グループになって順次、またはすべて同時に供給および／または挿入されてもよい。
【０３１７】
ステーションＡに関する第３の代替形態は、平行なフィラメントからなる巻きストランド１３６を示す。ストランド１３６はコイル１３８に巻き付けられ、そこから連続的にデコイルされる。ストランド１３６の端部は、中間マガジン１２４またはマガジン２０の開口に挿入され、その後切断される。ストランドの端部を切断した後、切断された長さを有する剛毛束２４が形成される。例えば、可動ＸＹテーブルを用いて、一方では可動ガイド内に収容されたコイルまたはストランドの端部がマガジン２０または中間マガジン１２４に対して動かされ、または他方では、マガジン２０／中間マガジン１２４がストランドの端部に対して移動させられ、それによって、マガジン２０または中間マガジン１２４内のすべての開口を順次充填することができる。さらに、いくつかのコイルおよびストランドをマガジン２０／中間マガジン１２４に対して移動させることもできる。その後、完全に装填されたマガジン２０または中間マガジン１２４は、ステーションから外方に移動され、ステーションＢに、またはステーションＣに直接移送される。ステーションＢにおいて、プッシャ１２６は、剛毛束２４をマガジン２０内に押し込む。
【０３１８】
Ｘ−Ｙテーブルを排除するために、複数の役割１３８からのストランドもマガジン２０または中間マガジン１２４へのそれぞれの開口に同時に移送され、その後切断される。
【０３１９】
ステーションＣはいわゆるプロファイリングステーションである。ここで、剛毛束２４は軸方向に移動され、それによって、ブラッシングに使用される束の後端は１つの平面内に、より一般的には任意の所定の表面内の端部に配置される。
【０３２０】
図示の実施形態では、波形が予め定められており、したがって、相補的な波形形状を有する当接プレート１４０がマガジン２０から離間されている。剛毛束２４は、その後、すべての剛毛端部が当接プレート１４０に当接するまで、好ましくは当接プレート１４０の表面に対して相補的な形状を有する圧力プレート１４２によって下方に押される。
【０３２１】
しかしながら、ステーションＣはまた、必要に応じて、異なる長さを有するか、または同じ長さを有する適切なプッシャ１２６によってステーションＢにおいて所望のプロファイルがすでに達成され得る場合には、除去されてもよい。長さの異なるプッシャ１２６によってステーションＢにおいていわゆる事前プロファイリングを実施し、その後、ステーションＣ内の当接プレート１４０によって精密なプロファイリングすることにより、両方の変形形態を互いに組み合わせることができる。
【０３２２】
ステーションＤは、下流ステーションにおける剛毛端部の最適な融解プロセスを達成するために剛毛束の後端部が切断される切断ステーションである。異なる長さにおいてマガジン２０から裏側に突出し得る剛毛束２４は、ナイフ１４４を使用することによってマガジン２０のかなり近くで機械的に、または熱線１４６を用いて熱的に切断される。機械的ナイフ１４４を使用する場合、マガジン２０は、必要に応じて、カウンターナイフとしても機能することができる。ここで、切断された後、剛毛束２４は、その裏側でマガジン２０から押し出され、それによって、そこからわずかに突出する。
【０３２３】
留置されたＤは、適切な場合、ステーションＢまたはＣの後に、剛毛端部がすでにマガジン２０の裏側で同じ長さに突出している場合には除去することができる。これは、特に、前側の束端部が１つの平面内で終端する場合である。
【０３２４】
次いで、剛毛束２４の突出部分がステーションＥ内で融解され、したがって、束のすべてのフィラメントが、互いに融着され、その結果、キノコ形の肥厚した束端部が得られる。束端部の厚さは、マガジン２０から裏側に突出するフィラメントの材料の体積によって制御される。これにより、束端部の幾何学的形状も設定することができる。
【０３２５】
融着は、フィラメントが（特に赤外光を使用することによって）輻射熱によって融着するように、束端部に接触してもよいし、それと離間してもよい加熱パンチ１４８によって行われてもよい。代替的には、熱風によって融着を達成することができる。形成された剛毛束については、常に単一の関連する肥厚部が生成されることが重要である。なぜなら、これらのフィラメントのみが融着によって互いに接続され、後に同じ固定開口に固定されるためである。上述のように、必要に応じて、肥厚部３２の冷却をここでも行うことができる。
【０３２６】
次のステーションＦでは、剛毛束が、その肥厚した締結端部が先頭になって剛毛キャリア１０の固定開口１２に挿入され、その後、上で詳述したように押し込まれる。この挿入は、同時に、逐次的にまたはグループ内で連続して行うことができる。
【０３２７】
さらなる代替形態は、剛毛束２４が剛毛キャリアの固定開口内にその後さらに押し込まれるように、剛毛束２４が、その肥厚した締結端部が先頭になって剛毛キャリアの固定開口に挿入される、それぞれのチャネルを含む方向転換プレートを提供することである。上記変形形態は、ブラシの後の穴設計または剛毛束２４の位置整合がまだマガジン内に完全には実現されていない場合の選択肢である。
【０３２８】
上述の別個に製造された単一の剛毛２４’は、マガジン２０へ、または、最初に剛毛キャリア１０へのいずれかの順序で各ステーションに供給されてもよい。
【０３２９】
この圧力は、例えば、好ましくはホルダ３４に取り付けられた、例えば電動モータ２４０（図１ｆ参照）のようなアクチュエータを使用することによって、および必要に応じてスピンドルナット２４２のようなギアを介在させることによって加えられる。これは無論、任意の実施形態に当てはまる。
【０３３０】
電気モータは、特にサーボモータである。
【０３３１】
一般に、アクチュエータを使用することによってまた、複数の剛毛キャリア１０を同時に再成形して、少なくとも１つの剛毛または少なくとも１つの剛毛束２４を固定開口内に保持することもできる。ここで、ホルダ３４は、剛毛キャリアに対して相補的に形成された複数の凹部３８を有する。
【０３３２】
完成したブラシの出力を増加させるために、特に、複数のアクチュエータが並行して設けられ、アクチュエータはここでも、複数のホルダ３４を駆動し、ホルダはここでも、複数の剛毛キャリア１０を収容する。
【０３３３】
コントローラ５１は、上述の方法が装置内で実行されるように、対応するプログラミングで構成されている。
【０３３４】
本発明による装置および本発明による方法によって、剛毛束を剛毛キャリアに固定することができ、これは極端に長くて薄い。本発明は、長さが８ｍｍを超え、幅が２ｍｍ未満、特に１ｍｍ未満の剛毛束を有する剛毛キャリアを実現する。
【０３３５】
縁部の長さが長いことに関して、固定開口のそれぞれの縁部を同じ延長部の内側に成形することは必須ではない。内方にそれほど再成形されない縁部分と交互になるように、固定開口に向かってさらに内側に再成形された、いくつかの突出縁部分を設けることで十分であることが分かっている。
【図１】
2019514530.tif 000004
【図２】
2019514530.tif 000005
【図３】
2019514530.tif 000006
【図４】
2019514530.tif 000007
【図５】
2019514530.tif 000008
【図５Ａ】
2019514530.tif 000009
【図６】
2019514530.tif 000010
【図７】
2019514530.tif 000011
【図８】
2019514530.tif 000012
【図９】
2019514530.tif 000013
【図１０】
2019514530.tif 000014
【図１１】
2019514530.tif 000015
【図１２】
2019514530.tif 000016
【図１３】
2019514530.tif 000017
【図１４】
2019514530.tif 000018
【図１５】
2019514530.tif 000019
【図１６】
2019514530.tif 000020
【図１７ａ】
2019514530.tif 000021
【図１７ｂ】
2019514530.tif 000022
【図１７ｃ】
2019514530.tif 000023
【図１７ｄ】
2019514530.tif 000024
【図１８ａ】
2019514530.tif 000025
【図１８ｂ】
2019514530.tif 000026
【国際調査報告】
2019514530.tif 000027
2019514530.tif 000028
2019514530.tif 000029
2019514530.tif 000030